(57)【特許請求の範囲】
【請求項１】
他の通信装置との間を第１の経路と第２の経路とで接続され、該第１又は第２の経路を介して経路識別子を含むフレームを受信する通信装置において、
前記第１及び第２の経路から受信したフレームから、障害監視のためのフレームである第１及び第２の監視フレームを夫々抽出する監視フレーム抽出部と、
前記監視フレーム抽出部で抽出された前記第１または第２の監視フレームに夫々含まれる前記経路識別子が同一となるように変換する変換部と、
変換後の前記第１または第２の監視フレームに基づいて障害を検出する障害監視部と、
を備えることを特徴とする通信装置。
【請求項２】
前記監視フレーム抽出部は、前記第１の監視フレームを抽出する第１の監視フレーム抽出部と、前記第２の監視フレームを抽出する第２の監視フレーム抽出部とを備え、
前記変換部は、前記第１の監視フレームに挿入された第１の経路識別子を第３の経路識別子に変換する第１の変換部と、前記第２の監視フレームに挿入された第２の経路識別子を前記第３の経路識別子に変換する第２の変換部とを備え、
前記障害監視部は、前記第１及び第２の変換部から夫々出力された前記第１及び第２の監視フレームに基づいて前記障害を検出することを特徴とする請求項１記載の通信装置。
【請求項３】
前記監視フレーム抽出部は、前記第１の監視フレームを抽出する第１の監視フレーム抽出部と、前記第２の監視フレームを抽出する第２の監視フレーム抽出部とを備え、
前記変換部は、前記第２の監視フレームに含まれる第２の経路識別子を前記第１の監視フレームに含まれる第１の経路識別子に変換し、
前記障害監視部は、前記第１の監視フレーム抽出部から出力された前記第１の監視フレームと、前記変換部から出力された前記第２の監視フレームに基づいて前記障害を検出することを特徴とする請求項１記載の通信装置。
【請求項４】
前記障害監視部は第１及び第２の障害監視部を備え、
前記第１の変換部は前記第３の経路識別子が挿入された前記第１の監視フレームを前記第１及び第２の障害監視部に出力し、
前記第２の変換部は前記第３の経路識別子が挿入された前記第２の監視フレームを前記第１及び第２の障害監視部に出力し、
前記第１及び第２の障害監視部は、前記第３の識別子が夫々挿入された前記第１及び第２の監視フレームに基づいて前記第１及び第２の経路に対する障害を夫々検出することを特徴とする請求項２記載の通信装置。
【請求項５】
前記障害監視部は第１及び第２の障害監視部を備え、
前記第１の監視フレーム抽出部は前記第１の監視フレームを前記第１及び第２の障害監視部に出力し、
前記変換部は前記第１の経路識別子が挿入された前記第２の監視フレームを前記第１及び第２の障害監視部に出力し、
前記第１及び第２の障害監視部は、前記第１の経路識別子が夫々挿入された前記第１及び第２の監視フレームに基づいて前記第１及び第２の経路に対する障害を夫々検出することを特徴とする請求項３記載の通信装置。
【請求項６】
更に、第１及び第２の送信切替部を備え、
前記障害監視部は、第１及び第２の障害監視部を備え、
前記第１の障害監視部は、第３及び第４の監視フレームを生成し、当該第３及び第４の監視フレームを前記第１及び第２の送信切替部に夫々出力し、
前記第２の障害監視部は、前記第３又は第４の監視フレームを生成し、当該第３及び第４の監視フレームを前記第１及び第２の送信切替部に夫々出力し、
前記第１の送信切替部は、前記第１の障害監視部から出力された前記第３の監視フレームと前記第２の障害監視部から出力された前記第３の監視フレームとを入力し、いずれか一方を前記第１の経路に送信し、
前記第２の送信切替部は、前記第１の障害監視部から出力された前記第４の監視フレームと前記第２の障害監視部から出力された前記第４の監視フレームとを入力し、いずれか一方を前記第２の経路に送信することを特徴とする請求項１記載の通信装置。
【請求項７】
他の通信装置との間を第１の経路と第２の経路とで接続され、該第１又は第２の経路を介して経路識別子を含むフレームを受信する通信装置において、
前記第１及び第２の経路から受信したフレームから、障害監視のためのフレームである第１及び第２の監視フレームを夫々抽出する監視フレーム抽出部と、
前記監視フレーム抽出部で抽出された前記第１及び第２の監視フレーム夫々に対してサービス識別子を付与するサービス識別子付与部と、
前記サービス識別子が付与された前記第１または第２の監視フレームに基づいて障害を検出する障害監視部と、
を備えることを特徴とする通信装置。
【請求項８】
前記監視フレーム抽出部は、前記第１の経路から受信した前記第１の監視フレームを抽出する第１の監視フレーム抽出部と、前記第２の経路から受信した前記第２の監視フレームを抽出する第２の監視フレーム抽出部とを備え、
前記サービス識別子付与部は、前記第１の監視フレームに対して前記サービス識別子を付与する第１のサービス識別子付与部と、前記第２の監視フレームに対して前記サービス識別子を付与する第２のサービス識別子付与部とを備え、
前記障害監視部は前記第１及び第２のサービス識別子付与部から出力された前記第１及び第２の監視フレームに基づいて前記障害を検出することを特徴とする請求項７記載の通信装置。
【請求項９】
他の通信装置との間を第１の経路と第２の経路とで接続され、該第１又は第２の経路を介して経路識別子を含むフレームを受信する通信装置における通信方法であって、
前記第１及び第２の経路から受信したフレームから、障害監視のためのフレームである第１及び第２の監視フレームを監視フレーム抽出部により夫々抽出し、
前記監視フレーム抽出部で抽出された前記第１または第２の監視フレームに夫々含まれる前記経路識別子が同一となるように変換部により変換し、該フレームを前記変換部により障害監視部に入力し、
入力された該フレームに基づいて、前記障害監視部により障害を検出する、
ことを特徴とする通信方法。
【請求項１０】
他の通信装置との間を第１の経路と第２の経路とで接続され、該第１又は第２の経路を介して経路識別子を含むフレームを受信する通信装置における通信方法であって、
前記第１及び第２の経路から受信したフレームから、障害監視のためのフレームである第１及び第２の監視フレームを監視フレーム抽出部により夫々抽出し、
前記監視フレーム抽出部で抽出された前記第１及び第２の監視フレーム夫々に対してサービス識別子をサービス識別子付与部により付与し、該フレームを前記サービス識別子付与部により障害監視部に入力し、
入力された該フレームに基づいて、前記障害監視部により障害を監視する、
ことを特徴とする通信方法。
【請求項１１】
前記監視フレーム抽出部と前記変換部は第１の基板に配置され、前記障害監視部は第２の基板に配置されることを特徴とする請求項１記載の通信装置。
【請求項１２】
前記第１の監視フレーム抽出部は第１の基板に配置され、前記第２の監視フレーム抽出部と前記変換部は第２の基板に配置され、前記障害監視部は第３の基板に配置されることを特徴とする請求項３記載の通信装置。
【請求項１３】
前記監視フレーム抽出部は、前記第１の経路から受信した前記第１の監視フレームを抽出する第１の監視フレーム抽出部と、前記第２の経路から受信した前記第２の監視フレームを抽出する第２の監視フレーム抽出部とを備え、
前記サービス識別子付与部は、前記第１の監視フレームに対して前記サービス識別子を付与する第１のサービス識別子付与部と、前記第２の監視フレームに対して前記サービス識別子を付与する第２のサービス識別子付与部とを備え、
前記障害監視部は第１及び第２の障害監視部を備え、
前記第１のサービス識別子付与部は前記サービス識別子が付与された前記第１の監視フレームを前記第１及び第２の障害監視部に出力し、
前記第２のサービス識別子付与部は前記サービス識別子が付与された前記第２の監視フレームを前記第１及び第２の障害監視部に出力し、
前記第１及び第２の障害監視部は、前記サービス識別子が付与された前記第１及び第２の監視フレームに基づいて前記第１及び第２の経路に対する障害を夫々検出することを特徴とする請求項７記載の通信装置。
【請求項１４】
前記監視フレーム抽出部と前記サービス識別子付与部は第１の基板に配置され、前記障害監視部は第２の基板に配置されることを特徴とする請求項７記載の通信装置。
【発明の詳細な説明】
【技術分野】
【０００１】
本発明は、通信装置、及び通信方法に関する。
【背景技術】
【０００２】
従来から、例えばイーサネット（登録商標）ワーク等のネットワークにおけるプロテクション機能の一つとして１：１プロテクションがある。１：１プロテクションは、例えば、現用系と予備系とが異なる経路で定義され、現用系の経路で障害が発生した場合、予備系の経路を利用してフレーム等が送信されるようにしたものである。図３８は各通信装置１０〜３０間において１：１プロテクションが設定されている場合の通信システム１の構成例を示す図である。図３６では、経路の例としてＶＬＡＮ（Virtual Local Area Network）を例にしている。
【０００３】
このような経路が設定された場合、例えば、ＣＣＭ（Continuity Check message）と呼ばれるＯＡＭ（Operations, Administration, and Maintenance）フレームが通信装置１０〜３０間で交換されることで、ＶＬＡＮに対する監視を行うことができる。例えば、ＯＡＭフレームが通信装置１０，２０間で交換されることで、通信装置１０，２０間の現用ＶＬＡＮと予備ＶＬＡＮの夫々のＶＬＡＮを監視（以下、「個別ＶＬＡＮの監視」と称する）できる。また、同様にＯＡＭフレームが交換されることで、例えば通信装置１０，２０間における現用ＶＬＡＮと予備ＶＬＡＮの２つのＶＬＡＮの双方を監視（以下、「サービスの監視」と称する）できる。
【０００４】
ＯＡＭフレームでは、個別ＶＬＡＮの監視とサービスの監視とを監視レベルによって区別している。図３６の例では、個別ＶＬＡＮの監視レベルは「Ｋ」、サービスの監視レベルは「Ｋ＋１」となっている。サービスの監視は、個別ＶＬＡＮの監視と比較して、広い（又は長い）区間が監視されるため、個別ＶＬＡＮに対する監視レベルより高いレベルが設定される。
【０００５】
図３７（Ａ）及び図３７（Ｂ）はフレームのフォーマット例を示し、図３７（Ａ）はデータフレーム、図３７（Ｂ）はＯＡＭフレームのフォーマット例を示す。同図（Ｂ）に示すように、ＯＡＭフレームには「監視レベル」領域があり、例えば「Ｋ」、又は「Ｋ＋１」等の監視レベルが挿入される。通信装置１０〜３０は、「監視レベル」によりどの監視レベルに対するＯＡＭフレームかを判別できる。
【０００６】
このようなＯＡＭフレーム等に対する通信装置１０〜３０の受信処理について説明する。図３８は通信装置２０における受信処理の例を説明するための図である。通信装置２０は、対向する通信装置１０との間で、現用ＶＬＡＮと予備ＶＬＡＮの２つの経路で接続されるが、現用ＶＬＡＮに対してラインカード＃１（２６０）、予備ＶＬＡＮに対してラインカード＃２（２７０）により接続されている。また、通信装置２０は、通信装置３０との間でも現用ＶＬＡＮと予備ＶＬＡＮにより接続され、現用ＶＬＡＮはラインカード＃３（２８０）、予備ＶＬＡＮはラインカード＃４（２９０）により夫々接続される。
【０００７】
ラインカード＃１（２６０）は通信装置１０から現用ＶＬＡＮを介してフレームを受信する。ラインカード＃１（２６０）のＯＡＭ抽出部２６２は、受信したフレームのうち、監視レベル「Ｋ」のＯＡＭフレームを障害監視部２６１に出力し、それ以外を転送処理部２６３に出力する。障害監視部２６１は、監視レベル「Ｋ」のＯＡＭフレームの連続性等を確認することで、通信装置１０と接続された現用ＶＬＡＮを監視できる。通信装置２０は予備ＶＬＡＮを介して通信装置１０から送信されたフレームを受信する。ラインカード＃２（２７０）のＯＡＭ抽出部２７２は、監視レベル「Ｋ」のＯＡＭフレームを障害監視部２７１に出力し、それ以外を転送処理部２７３に出力する。障害監視部２７１は当該ＯＡＭフレームの連続性等を確認することで、予備ＶＬＡＮを監視できる。
【０００８】
現用ＶＬＡＮが通常状態のとき、現用ＶＬＡＮを介して受信した監視レベル「Ｋ＋１」のＯＡＭフレームは、転送処理部２６３により、ラインカード＃３（２８０）に出力される。また、かかる現用ＶＬＡＮ上で障害等が発生した場合、経路が切り替えられて、予備ＶＬＡＮを介して受信した監視レベル「Ｋ＋１」のＯＡＭフレームは転送処理部２７３によりラインカード＃３（２８０）に出力される。
【０００９】
ラインカード＃３（２８０）のＯＡＭ抽出部２８２は、監視レベル「Ｋ＋１」のＯＡＭフレームを障害監視部２８１に出力し、それ以外を現用ＶＬＡＮに送信する。障害監視部２８１は、現用ＶＬＡＮがアクティブの場合でも、予備ＶＬＡＮがアクティブの場合でも、サービス監視用のＯＡＭフレーム（例えば、監視レベル「Ｋ＋１」）を受信できるため、現用ＶＬＡＮと予備ＶＬＡＮの双方の監視（サービスの監視）を行うことができる。
【００１０】
一方、通信装置２０と通信装置３０との間において現用ＶＬＡＮに障害等が発生した場合、通信装置３０に対する経路が予備ＶＬＡＮに切り替えられる。図３９はかかる場合におけるＯＡＭフレームの受信処理の例を示す図である。ラインカード＃１（２６０）の転送処理部２６３は、通信装置２０，３０間の現用ＶＬＡＮ（例えば、ＶＬＡＮ  ＩＤ＝Ａ）における障害を検知すると、フレームの転送先をラインカート＃３（２８０）からラインカード＃４（２９０）に切り替える。これにより、フレームは予備ＶＬＡＮ（例えば、ＶＬＡＮ  ＩＤ＝Ｂ）を経由して通信装置３００に送信される。
【００１１】
なお、ネットワークにおけるプロテクション機能として他にも１＋１プロテクションがある。１＋１プロテクションは、例えば、フレームが複製されて現用系と予備系の双方の経路に送信されるようにしたプロテクション機能である。
【００１２】
このような１＋１プロテクションに関する技術として、例えば、送信側のスイッチ装置から現用系のパスと予備系のパスの双方に現用系監視用フレームと予備系監視用フレームとを送信する。そして、受信側のスイッチで現用系パスからの予備系監視用フレームを破棄し、予備系パスからの現用系監視用フレームを破棄し、透過した現用系監視用フレームと予備系監視用フレームとを用いて各パスの疎通確認を行うようにしたものがある。
【先行技術文献】
【非特許文献】
【００１３】
【非特許文献１】ITU-T G.8031
【非特許文献２】IEEE 802.1ag
【非特許文献３】ITU-T Y.1731
【特許文献】
【００１４】
【特許文献１】特開２００９−１５２７２９号公報
【発明の概要】
【発明が解決しようとする課題】
【００１５】
上述した技術において、通信装置２０は、一方のラインカード＃３（２８０）に障害監視部２８１を備え、他方のラインカード＃４（２９０）に障害監視部を備えていない。通信装置２０，３０間の現用ＶＬＡＮ上に障害等が発生した場合、上述したように、通信装置２０は、受信したフレームをラインカード＃３（２８０）からラインカード＃４（２９０）に切り替えて送信する。この切り替えにより、ラインカード＃３（２８０）は通信装置２０が受信したフレームを入力できなくなる。ラインカード＃３（２８０）の障害監視部２８１は当該フレームを入力できないため、サービスの監視を行うことができない。かかる場合、障害監視部２８１は、通信装置１０，２０間の２つの経路は共に共存しているにも関わらず、２つの経路が停止している又は障害が発生しているなど、誤検出する場合もある。これを解決するため、例えば、ラインカード＃４（２９０）に当該障害部を設ける場合がある。この場合、ラインカード＃３（２８０）とラインカード＃４（２９０）の２つの障害監視部が互いに連携して情報を相互に入出力することを考慮しているためである。すなわち、２つの障害監視部は、例えば、フレームの連続性を確認するためフレームのシーケンス番号を確認するが、経路が切り替えられてもその連続性を確認するために、２つの障害監視部が互いにシーケンス番号等の情報を入出力する。かかる場合に、例えばＯＡＭフレームの受信間隔が閾値よりも非常に短い場合、２つの障害監視部も互いに情報を閾値より速く入出力するため、相互に連携することが困難となる。
【００１６】
そこで、本発明の一目的は、互いに連携することなく経路の障害を監視できるようにした通信装置、及び通信方法を提供することにある。
【００１７】
また、本発明の他の目的は経路の障害に対する誤検出を防止できるようにした通信装置、及び通信方法を提供することにある。
【課題を解決するための手段】
【００１８】
一態様によれば、隣接通信装置との間を第１の経路と第２の経路とで接続され、該第１又は第２の経路を介して経路識別子を含むフレームを受信する通信装置において、前記第１及び第２の経路から受信したフレーム夫々から、障害監視のためのフレームである第１及び第２の監視フレームを抽出する監視フレーム抽出部と、入力された監視フレームに基づいて、障害を検出する障害監視部と、前記監視フレーム抽出部で抽出された前記第１または第２の監視フレームに夫々含まれる前記経路識別子が同一となるように変換し、該フレームを前記障害監視部に入力する変換部とを備える。
【００１９】
また、他の態様によれば、隣接装置との間を第１の経路と第２の経路とで接続され、該第１又は第２の経路を介して経路識別子を含むフレームを受信する通信装置において、前記第１及び第２の経路から受信したフレーム夫々から、障害監視のためのフレームである第１及び第２の監視フレームを抽出する監視フレーム抽出部と、入力された監視フレームに基づいて、障害を監視する障害監視部と、前記監視フレーム抽出部で抽出された前記第１及び第２の監視フレーム夫々に対してサービス識別子を付与し、該フレームを前記障害監視部に入力するサービス識別子付与部とを備える。
【発明の効果】
【００２０】
互いに連携することなく経路の障害を監視できるようにした通信装置、及び通信方法を提供することにある。経路の障害に対する誤検出を防止できるようにした通信装置、及び通信方法を提供することにある。
【図面の簡単な説明】
【００２１】
【図１】図１は通信装置の受信系の構成例を示す図である。
【図２】図２は通信装置の送信系の構成例を示す図である。
【図３】図３（Ａ）はＭＡＣ転送テーブル、図３（Ｂ）はＶＬＡＮ  ＩＤ変換テーブル、図３（Ｃ）はＯＡＭ送信制御テーブルの各例を示す図である。
【図４】図４は通信装置の受信系の構成例を示す図である。
【図５】図５は通信装置の送信系の構成例を示す図である。
【図６】図６は動作例を説明するための図である。
【図７】図７は動作例を説明するための図である。
【図８】図８は動作例を説明するための図である。
【図９】図９は動作例を説明するための図である。
【図１０】図１０は通信装置の受信系の構成例を示す図である。
【図１１】図１１（Ａ）及び図１１（Ｂ）はＶＬＡＮ  ＩＤ変換テーブルの例を夫々示す図である。
【図１２】図１２（Ａ）は動作例を説明するための図である。
【図１３】図１３は通信装置の受信系の構成例を示す図である。
【図１４】図１４（Ａ）はＶＬＡＮ  ＩＤ変換テーブル、図１４（Ｂ）は障害監視部位置テーブルの例を夫々示す図である。
【図１５】図１５は通信装置の受信系の構成例を示す図である。
【図１６】図１６は動作例を説明するための図である。
【図１７】図１７は通信装置の受信系の構成例を示す図である。
【図１８】図１８（Ａ）は障害監視部位置テーブル、図１８（Ｂ）はＶＬＡＮ  ＩＤ変換テーブルの例を夫々示す図である。
【図１９】図１９は通信装置の送信系の構成例を示す図である。
【図２０】図２０は動作例を説明するための図である。
【図２１】図２１は動作例を説明するための図である。
【図２２】図２２は動作例を説明するための図である。
【図２３】図２３は動作例を説明するための図である。
【図２４】図２４は通信装置の受信系の構成例を示す図である。
【図２５】図２５（Ａ）〜図２５（Ｃ）はサービス識別テーブルの例を夫々示す図である。
【図２６】図２６は通信装置の受信系の構成例を示す図である。
【図２７】図２７は動作例を説明するための図である。
【図２８】図２８は動作例を説明するための図である。
【図２９】図２９は通信装置の受信系の構成例を示す図である。
【図３０】図３０（Ａ）及び図３０（Ｂ）はサービス識別テーブルの例を夫々示す図である。
【図３１】図３１は動作例を説明するための図である。
【図３２】図３２は動作例を説明するための図である。
【図３３】図３３は通信システムの構成例を示す図である。
【図３４】図３４は通信装置の受信系の構成例を示す図である。
【図３５】図３５は通信装置の受信系の構成例を示す図である。
【図３６】図３６は通信システムの構成例を示す図である。
【図３７】図３７（Ａ）はデータフフレーム、図３７（Ｂ）はＯＡＭフレームのフォーマット例を夫々示す図である。
【図３８】図３８は動作例を説明するための図である。
【図３９】図３９は動作例を説明するための図である。
【発明を実施するための形態】
【００２２】
以下、本発明を実施するための形態について説明する。本実施例は、１：１プロテクションによりネットワークの障害を検知するものとし、各通信装置は、現用系の経路と予備系の２つの経路により他の通信装置と接続されるものとする。図３３は、このような通信システム１の構成例を示す。通信システム１は複数の通信装置１００〜３００を備え、通信装置２００と通信装置１００とが現用ＶＬＡＮと予備ＶＬＡＮにより接続される。通信装置１００，２００間において、現用ＶＬＡＮに障害が発生すると経路が切り替えられて予備ＶＬＡＮを介してフレームが送受信される。通信装置２００と通信装置３００においても同様である。
【００２３】
尚、以下の各実施例において、個別ＶＬＡＮの監視とは、例えば、現用ＶＬＡＮと予備ＶＬＡＮの各ＶＬＡＮを個別に監視することであり、サービスの監視（又はサービスに対する監視）とは、例えば、現用ＶＬＡＮと予備ＶＬＡＮの双方を監視することである。
【００２４】
＜第１の実施例＞
まず、第１の実施例を説明する。第１の実施例は、例えば、ＶＬＡＮ  ＩＤを用いてサービスの監視を行う例である。ＶＬＡＮ  ＩＤは、例えば、現用ＶＬＡＮと予備ＶＬＡＮの２つのＶＬＡＮ（又は経路）を識別するための識別符号である。図３３の例では、通信装置１００，２００間の現用ＶＬＡＮと予備ＶＬＡＮの各ＶＬＡＮ  ＩＤは、夫々「１」と「２」であり、通信装置２００，３００間の現用ＶＬＡＮと予備ＶＬＡＮの各ＶＬＡＮ  ＩＤは、夫々「Ａ」と「Ｂ」となる。ＯＡＭフレームやデータフレームなどのフレームには、ＶＬＡＮ  ＩＤが挿入されて送信されるものとする。
【００２５】
＜受信系の構成例＞
次に第１の実施例における各通信装置１００〜３００の構成例を説明する。図１及び図２は第１の実施例における通信装置２００の構成例、図３（Ａ）〜同図（Ｃ）はテーブルの例を夫々示す。通信装置１００〜３００の構成例は、例えばいずれも同一であり、代表して通信装置２００を例にして説明する。
【００２６】
図１は通信装置２００の受信系（通信装置１００からフレームを受信し、通信装置３００に送信する）、図２は通信装置２００の送信系（通信装置１００にフレームを送信する）の構成例を示す。説明の便宜のため別々の図面で示されるが、通信装置２００は例えば双方の構成（例えば図１と図２）を備えるものとなっている。
【００２７】
通信装置２００は、ラインカード＃１（２０１）と、スイッチモジュール２５０、及びラインカード＃３（２０２）とを備える。
【００２８】
例えば、ラインカード＃１（２０１）は２つのＶＬＡＮ（現用ＶＬＡＮと予備ＶＬＡＮ）を介して通信装置１００と接続され、ラインカード＃３（２０２）も２つのＶＬＡＮ（現用ＶＬＡＮと予備ＶＬＡＮ）を介して通信装置３００と接続される。
【００２９】
ラインカード＃１（２０１）は、フレーム受信部２１１と、ＯＡＭ抽出部２１２と、転送処理部２１３と、障害監視部２１４と、ＶＬＡＮ  ＩＤ変換部２２５と、ＶＬＡＮ  ＩＤ変換テーブル２２６とを備える。
【００３０】
フレーム受信部２１１は、現用ＶＬＡＮ又は予備ＶＬＡＮを介して通信装置１００から送信されたフレームを受信し、ＯＡＭ抽出部２１２に出力する。例えば、フレーム受信部２１１は、受信フレームが通信装置２００宛てのフレームのとき当該フレームを受信し、そうでないとき破棄等する。
【００３１】
ＯＡＭ抽出部２１２は、受信フレームからフレーム種別を判別し、ＯＡＭフレームを抽出する。フレームには、「Ｅｔｈｅｒｎｅｔ（登録商標）タイプ」領域があり（例えば図３７（Ａ））、ＯＡＭ抽出部２１２は当該領域にＯＡＭフレームであることを示す符号等が挿入されているか否かにより受信フレームがＯＡＭフレームか否かを判別する。
【００３２】
また、ＯＡＭ抽出部２１２は、抽出したＯＡＭフレームのうち、個別ＶＬＡＮに対する監視用のＯＡＭフレーム（例えば、監視レベル「Ｋ」）と、サービスに対する監視用のＯＡＭフレーム（例えば、監視レベル「Ｋ＋１」）とを判別する。そして、ＯＡＭ抽出部２１２は個別ＶＬＡＮ監視用のＯＡＭフレームを障害監視部２１４に、サービス監視用のＯＡＭフレームをＶＬＡＮ  ＩＤ変換部２２５に出力する。例えば、ＯＡＭフレーム内には「監視レベル」領域があり（例えば図３７（Ｂ））、ＯＡＭ抽出部２１２は当該領域に挿入された監視レベルに基づいて判別する。
【００３３】
転送処理部２１３は、例えば、ＯＡＭ抽出部２１２から出力されたフレームをＭＡＣ転送テーブルに従いスイッチモジュール２５０を介してラインカード＃３（２０２）に転送する。
【００３４】
図３（Ａ）はＭＡＣ転送テーブル２１３１の例を示す図である。ＭＡＣ転送テーブル２１３１は、「宛先ＭＡＣ（Media Access Control）アドレス」と、「受信ＶＬＡＮ」と、「送信ポート」、及び「送信ＶＬＡＮ」の各項目を備える。この例の場合、転送処理部２１３は、ＶＬＡＮ  ＩＤが「２」、宛先ＭＡＣアドレスが「ＭＡＣｘ」である受信フレームに対して、ＶＬＡＮ  ＩＤを「Ａ」又は「Ｂ」に変換し、送信ポート「３０」又は「４０」から送信されるように転送する。
【００３５】
ＶＬＡＮ  ＩＤ変換部２２５は、サービス監視用ＯＡＭフレーム（例えば、監視レベル「Ｋ＋１」）を入力し、当該フレームのＶＬＡＮ  ＩＤをＶＬＡＮ  ＩＤ変換テーブル２２６に従って変換する。例えば、ＶＬＡＮ  ＩＤ変換部２２５は、予備ＶＬＡＮから受信したサービス監視用ＯＡＭフレームのＶＬＡＮ  ＩＤを現用ＶＬＡＮのＶＬＡＮ  ＩＤに変換して出力し、現用ＶＬＡＮから受信したサービス監視用ＯＡＭフレームのＶＬＡＮ  ＩＤを変換せずに出力する。あるいは、ＶＬＡＮ  ＩＤ変換部２２５は、現用ＶＬＡＮから受信したサービス監視用ＯＡＭフレームも予備ＶＬＡＮから受信したサービス監視用ＯＡＭフレームも共に共通のＶＬＡＮ  ＩＤに変換して出力する。これにより、ＶＬＡＮ  ＩＤ変換部２２５は、現用ＶＬＡＮからのサービス監視用ＯＡＭフレームも予備ＶＬＡＮからのサービス監視用ＯＡＭフレームも同一のＶＬＡＮ  ＩＤとなるように変換して出力する。
【００３６】
ＶＬＡＮ  ＩＤ変換テーブル２２６は、変換すべきＶＬＡＮ  ＩＤ等を保持したテーブルである。図３（Ｂ）はＶＬＡＮ  ＩＤ変換テーブル２２６の例を示す図である。ＶＬＡＮ  ＩＤ変換テーブル２２６は、「受信ＶＬＡＮ」と、「障害監視カード番号」と、「現用ＶＬＡＮ受信ＶＬＡＮ  ＩＤ」の各項目を含む。「受信ＶＬＡＮ  ＩＤ」は、例えば変換対象となるサービス監視用ＯＡＭフレームのＶＬＡＮ  ＩＤである。「障害監視カード番号」は、例えば、サービス監視用の障害監視部のあるカード番号を示し、変換後のサービス監視用ＯＡＭフレームの転送先である。「現用ＶＬＡＮ」は、例えば、変換後のＶＬＡＮ  ＩＤを示す。ＶＬＡＮ  ＩＤ変換テーブル２２６の他の例として、例えば、図１１（Ａ）等に示されるが詳細は第２の実施例以降で説明する。
【００３７】
障害監視部２１４は、ＯＡＭ抽出部２１２又はＶＬＡＮ  ＩＤ変換部２２５から出力されたＯＡＭフレームを入力し、当該ＯＡＭフレームに基づいて障害監視を行う。障害監視部２１４は、個別ＶＬＡＮ監視用ＯＡＭフレームに基づいて個別ＶＬＡＮを監視し、サービス監視用ＯＡＭフレームに基づいてサービスを監視する。
【００３８】
障害の監視はいくつかの方法がある。例えば、障害監視部２１４は、サービス監視用ＯＡＭフレームを受信したときタイマをリセットしてダウンカウントし、次に同一ＶＬＡＮ  ＩＤのサービス監視用ＯＡＭフレームを受信したときタイマをリセットする。障害監視部２１４は、タイマがリセットされず満了になったときサービス障害を検出し、リセットされれば障害ではないことを検出する。または、例えば、障害監視部２１４は同一ＶＬＡＮ  ＩＤのサービス監視用ＯＡＭフレームのシーケンス番号を検知し、連続して番号を検知すると障害ではなく、非連続のとき障害であると検出することもできる。
【００３９】
スイッチモジュール２５０は、例えば、転送処理部２１３から出力されたフレームのＶＬＡＮ  ＩＤに基づいて、送信ポート先のラインカード＃３（２０２）に当該フレームを転送する。
【００４０】
ラインカード＃３（２０２）はフレーム送信部２３１を備える。フレーム送信部２３１は、転送処理部２１３から転送されたフレームを現用ＶＬＡＮ又は予備ＶＬＡＮを介して通信装置３００に送信する。
【００４１】
＜送信系の構成例＞
図２は、通信装置２００の送信系の構成例を示す図である。通信装置２００は、サービス監視用ＯＡＭフレームを生成し、現用ＶＬＡＮまたは予備ＶＬＡＮを介して通信装置１００に送信する。
【００４２】
障害監視部２１４は、ＯＡＭ送信制御テーブルを保持し、当該テーブルに基づいて、サービス監視用ＯＡＭフレームを生成し、当該フレームを現用ＶＬＡＮまたは予備ＶＬＡＮに送信する。
【００４３】
図３（Ｃ）はＯＡＭ送信制御テーブル２１４１の例を示す図である。ＯＡＭ送信制御テーブル２１４１は、現用ＶＬＡＮまたは予備ＶＬＡＮごとに「送信ポート先」と「送信ＶＬＡＮ  ＩＤ」の各項目を含む。「送信ポート先」は、例えば、生成されたサービス監視用ＯＡＭフレームの送信ポート番号を示し、「送信ＶＬＡＮ  ＩＤ」は、例えば、当該サービス監視用ＯＡＭフレームを送信するＶＬＡＮのＶＬＡＮ  ＩＤを示す。
【００４４】
図２に示すように、通信装置２００は、更に、送信切替部２１７とフレーム送信部２１８とを備える。
【００４５】
送信切替部２１７は、複数の障害監視部からスイッチモジュール２５０等を介してサービス監視用ＯＡＭフレームを入力したとき、そのうち１つを選択して出力する。また、送信切替部２１７は、例えば、障害監視部２１４からスイッチモジュール２５０等を介して１つのサービス監視用ＯＡＭフレームを入力したとき、切り替えることなく当該ＯＡＭフレームを出力する。
【００４６】
フレーム送信部２１８は、送信切替部２１７から出力されたＯＡＭフレームを現用ＶＬＡＮ又は予備ＶＬＡＮを介して通信装置１００に送信する。例えば、フレーム送信部２１８は、サービス監視用ＯＡＭフレーム内には「ＶＬＡＮ  ＩＤ」が挿入されているため（図３（Ｃ））、このＶＬＡＮ  ＩＤに基づいて対応する送信ポートから送信する。
【００４７】
＜動作例＞
まず、受信系の動作例を説明する。図１に示すように、通信装置１００との間の現用ＶＬＡＮが定常（又は通常）状態のとき、通信装置２００は現用ＶＬＡＮから個別ＶＬＡＮ監視用ＯＡＭフレーム（例えば、監視レベル「Ｋ」）を受信する。
【００４８】
ＯＡＭ抽出部２１２は当該ＯＡＭフレームを抽出し障害監視部２１４に出力する。これにより、障害監視部２１４は通信装置１００との間の現用ＶＬＡＮを個別に監視できる。また、通信装置２００は予備ＶＬＡＮから個別ＶＬＡＮ監視用ＯＡＭフレームを受信する。ＯＡＭ抽出部２１２はこれを抽出し障害監視部２１４に出力する。これにより、障害監視部２１４は通信装置１００の間の予備ＶＬＡＮを個別に監視できる。
【００４９】
現用ＶＬＡＮが通常状態のとき、通信装置２００は、現用ＶＬＡＮからサービス監視用ＯＡＭフレーム（例えば、監視レベル「Ｋ＋１」）を受信したとき、ＯＡＭ抽出部２１２がこれを抽出し、ＶＬＡＮ  ＩＤ変換部２２５に出力する。ＶＬＡＮ  ＩＤ変換部２２５は、ＶＬＡＮ  ＩＤ変換テーブル２２６に従って当該フレームのＶＬＡＮ  ＩＤを変換（例えば共通ＶＬＡＮ  ＩＤに変換）または変換することなく、スイッチモジュール２５０を介して障害監視部２１４に転送する。
【００５０】
一方、通信装置１００との間の現用ＶＬＡＮに障害が発生し予備ＶＬＡＮに経路が切り替えられた場合、通信装置２００は予備ＶＬＡＮからサービス監視用ＯＡＭフレームを受信する。そのとき、ＯＡＭ抽出部２１２はこれを抽出し、ＶＬＡＮ  ＩＤ変換部２２５に出力する。ＶＬＡＮ  ＩＤ変換部２２５は、ＶＬＡＮ  ＩＤ変換テーブル２２６に従って、当該ＯＡＭフレームのＶＬＡＮ  ＩＤを変換（例えば、共通ＶＬＡＮ  ＩＤ又は現用ＶＬＡＮのＶＬＡＮ  ＩＤに夫々変換）してスイッチモジュール２５０を介して障害監視部２１４に転送する。
【００５１】
障害監視部２１４は、サービス監視用ＯＡＭフレームについて、ＶＬＡＮ  ＩＤ変換部２２５による変換により、現用ＶＬＡＮから受信したものも予備ＶＬＡＮから受信したものも同一のＶＬＡＮ  ＩＤとして入力するため、両者を区別することなくサービスを監視できる。従って、障害監視部２１４は他の監視部等と連携することなく通信装置１００との間のサービス障害を監視できる。
【００５２】
一方、転送処理部２１３は、ＯＡＭ抽出部２１２から出力されたフレーム（データフレームなど）をＭＡＣ転送テーブル２１３１（例えば図３（Ａ））に従って送信する。例えば、転送処理部２１３は、通信装置３００との間の現用ＶＬＡＮが定常状態のとき、受信したフレームのＶＬＡＮ  ＩＤを「Ａ」に変換して、スイッチモジュール２５０を介してフレーム送信部２３１に転送する。スイッチモジュール２５０とフレーム送信部２３１は、例えば、変換されたＶＬＡＮ  ＩＤに基づいて、通信装置３００との間の現用ＶＬＡＮに当該フレームを送信する。
【００５３】
また、転送処理部２１３は、通信装置３００との間の現用ＶＬＡＮに障害発生したとき、受信したフレームのＶＬＡＮ  ＩＤを「Ｂ」に変換して、スイッチモジュール２５０を介してフレーム送信部２３１に転送する。スイッチモジュール２５０とフレーム送信部２３１は、例えば、変換されたＶＬＡＮ  ＩＤに基づいて通信装置３００との間の予備ＶＬＡＮに当該フレームを送信する。
【００５４】
転送処理部２１３により通信装置３００に対する経路が現用ＶＬＡＮから予備ＶＬＡＮに切り替えられた場合、障害監視部２１４は、かかる切り替えに影響なく、２つの経路から受信したサービス監視用ＯＡＭフレームを入力する。これは、例えば、ＯＡＭ抽出部２１２の後段に転送処理部２１３が配置され、サービス監視用ＯＡＭフレームが抽出された後で転送先が切り替えられても抽出自体に影響がないからである。従って、本通信装置２００は、通信装置３００との経路の切り替えに影響なく、サービス障害に対する誤検出を防止できる。
【００５５】
なお、送信系に対する動作例は以下のようになる。すなわち、図２に示すように、障害監視部２１４は、ＯＡＭ送信制御テーブル２１４１（例えば図３（Ｃ)）に従って、サービス監視用ＯＡＭフレームを生成し、現用ＶＬＡＮ又は予備ＶＬＡＮに送信する。例えば、障害監視部２１４は、現用ＶＬＡＮが定常状態のとき、生成したサービス監視用ＯＡＭフレームを、スイッチモジュール２５０等を介して現用ＶＬＡＮに送信する。一方、障害監視部２１４は、現用ＶＬＡＮに障害が発生したとき、サービス監視用ＯＡＭフレームを、スイッチモジュール２５０等を介して予備ＶＬＡＮに送信する。このように、通信装置２００は、通信装置１００との間の経路状態に応じて、サービス監視用ＯＡＭフレームを生成し、通信装置１００に送信できる。
【００５６】
＜第２の実施例＞
次に第２の実施例について説明する。第２の実施例は、第１の実施例におけるラインカード＃１（２０１），＃３（２０２）（例えば、図１）がそれぞれ２つある場合の例である。
【００５７】
図４は、本第２の実施例における通信装置２００の受信系の構成例、図５は通信装置２００の送信系の構成例、図６〜図９は動作例を夫々示す。また、図１０は第２の実施例における通信装置２００の他の構成例、図１１（Ａ）〜同図（Ｂ）はテーブルの例、図１２は動作例を夫々示す図である。
【００５８】
＜構成例＞
図４に示すように、通信装置２００は、ラインカード＃１〜＃４（２１０〜２４０）と、スイッチモジュール２５０を備える。例えば、図１のラインカード＃１（２０１）は、図４のラインカード＃１（２１０）とラインカード＃２（２２０）に対応し、図１のラインカード＃３（２０２）は、図４のラインカード＃３（２３０）とラインカード＃４（２４０）に対応する。
【００５９】
ラインカード＃１（２１０）は現用ＶＬＡＮを介して通信装置１００と接続され、ラインカード＃２（２２０）は予備ＶＬＡＮを介して通信装置１００と接続される。一方、ラインカード＃３（２３０）は現用ＶＬＡＮを介して通信装置３００と接続され、ラインカード＃４（２４０）は予備ＶＬＡＮを介して通信装置３００と接続される。
【００６０】
ただし、図４に示す例では、ラインカード＃２（２２０）にＶＬＡＮ  ＩＤ変換部２２５とＶＬＡＮ  ＩＤ変換テーブル２２６とを備え、ラインカード＃１（２１０）にはかかる構成がないものとなっている。
【００６１】
すなわち、ラインカード＃１（２１０）は、フレーム受信部２１１と、ＯＡＭ抽出部２１２と、転送処理部２１３と、障害監視部２１４を備える。一方、ラインカード＃２（２２０）は、フレーム受信部２２１と、ＯＡＭ抽出部２２２と、転送処理部２２３と、障害監視部２２４と、ＶＬＡＮ  ＩＤ変換部２２５と、ＶＬＡＮ  ＩＤ変換テーブル２２６を備える。
【００６２】
図４の例の場合、ラインカード＃１（２１０）のＯＡＭ抽出部２１２は、現用ＶＬＡＮを介して受信した受信フレームのうち、個別ＶＬＡＮ監視用のＯＡＭフレームを障害監視部２１４に出力し、サービス監視用のＯＡＭフレームを、スイッチモジュール２５０を介して障害監視部２１４に転送する。ＯＡＭ抽出部２１２は、例えば、ＯＡＭフレーム内の「監視レベル」（例えば、図３３（Ｂ））により出力先を判別する。尚、ＯＡＭ抽出部２１２は、サービス監視用のＯＡＭフレームを障害監視部２１４に直接出力してもよい。
【００６３】
一方、ラインカード＃２（２２０）のＯＡＭ抽出部２２２は、予備ＶＬＡＮを介して受信した受信フレームのうち、個別ＶＬＡＮ監視用のＯＡＭフレームを障害監視部２２４に出力し、サービス監視用のＯＡＭフレームをＶＬＡＮ  ＩＤ変換部２２５に出力する。
【００６４】
ＶＬＡＮ  ＩＤ変換部２２５は、予備ＶＬＡＮを介して受信したサービス監視用のＯＡＭフレームに対して、ＶＬＡＮ  ＩＤ変換テーブル２２６に従って、そのＶＬＡＮ  ＩＤ（例えば「２」）を現用ＶＬＡＮのＶＬＡＮ  ＩＤ（例えば「１」）に変換する。また、ＶＬＡＮ  ＩＤ変換部２２５は、ＶＬＡＮ  ＩＤ変換テーブル２２６に従って、サービス監視用障害監視部２１４のあるラインカード＃１（２１０）に変換後のサービス監視用ＯＡＭフレームを転送する。
【００６５】
ラインカード＃３（２３０），＃４（２４０）は、フレーム送信部２３１，２４１を夫々備える。フレーム送信部２３１，２４１は、転送処理部２１３，２２３により夫々指示された送信ポートからフレームを夫々送信する。フレーム送信部２３１，２４１は、例えば、転送処理部２１３，２２３で夫々変換されたＶＬＡＮ  ＩＤに従って、フレームを夫々送信する。
【００６６】
図５は通信装置２００における送信系の構成例を示す図である。ラインカード＃１（２１０）の障害監視部２１４は、ＯＡＭ転送制御テーブル（例えば、図３（Ｃ））に従って、サービス監視用ＯＡＭフレームを生成しスイッチモジュール２５０を介していずれかの送信切替部２１７，２２７に転送する。この場合、スイッチモジュール２５０は、当該フレームを例えばＶＬＡＮ  ＩＤに基づいて転送する。
【００６７】
＜受信系の動作例＞
次に、第２の実施例における通信装置２００の動作例を説明する。図６及び図７は動作例を説明するための図である。ただし、図６及び図７において説明の便宜のため一部構成を省略している。
【００６８】
図６に示すように、通信装置２００は、通信装置１００から現用ＶＬＡＮを介して個別ＶＬＡＮの監視用のＯＡＭフレーム（例えば、監視レベル「Ｋ」）を受信したとき、ＯＡＭ抽出部２１２はこれを受信し（Ｓ１）、当該フレームを障害監視部２１４に転送する（Ｓ２）。障害監視部２１４は、現用ＶＬＡＮ監視用のＯＡＭフレームを入力し、通信装置１００との間の現用ＶＬＡＮに対する障害を監視する。
【００６９】
一方、通信装置２００は、現用ＶＬＡＮを介してサービス監視用のＯＡＭフレーム（例えば、監視レベル「Ｋ＋１」）を受信したとき（Ｓ３）、ＯＡＭ抽出部２１２は、スイッチモジュール２５０を介して障害監視部２１４に当該フレームを転送する（Ｓ４）。
【００７０】
例えば、ＯＡＭ抽出部２１２は、ＯＡＭフレームの「監視レベル」（例えば図３７（Ｂ））が「Ｋ」のときＯＡＭフレームを障害監視部２１４に転送し、「監視レベル」が「Ｋ＋１」のとき、ＯＡＭフレームを障害監視部２１４に転送する。
【００７１】
ＯＡＭ抽出部２１２で抽出されたＯＡＭフレーム以外のフレームは転送処理部２１３に出力される。転送処理部２１３は、ＭＡＣ転送テーブル２１３１（例えば図３（Ａ））に従って、当該フレームをスイッチモジュール２５０を介していずれかのラインカード＃３（２３０），＃４（２４０）に転送する。例えば、転送処理部２１３は、通信装置３００との間の現用ＶＬＡＮが定常状態のとき、ラインカード＃３（２３０）に当該フレームを転送する（Ｓ５）。一方、転送処理部２１３は通信装置３００との間の現用ＶＬＡＮに障害が発生したとき、予備ＶＬＡＮからデータフレームを送信するように、ラインカード＃４（２４０）に転送する。
【００７２】
一方、通信装置１００との間の現用ＶＬＡＮに障害等が発生して経路が現用ＶＬＡＮから予備ＶＬＡＮに切り替えられたとき、ＯＡＭ抽出部２２２は通信装置１００からのフレームを受信する（Ｓ６）。すなわち、ＯＡＭ抽出部２２２は、個別ＶＬＡＮ監視用のＯＡＭフレームを受信すると、当該フレームを障害監視部２２４に出力する（Ｓ７）。障害監視部２２４は、個別ＶＬＡＮ監視用のＯＡＭフレームを監視することで、経路切り替え後の予備ＶＬＡＮの障害を監視できる。
【００７３】
また、ＯＡＭ抽出部２２２は、サービス監視用のＯＡＭフレームを受信したとき（Ｓ８）、当該フレームをＶＬＡＮ  ＩＤ変換部２２５に出力する（Ｓ９）。
【００７４】
ＶＬＡＮ  ＩＤ変換部２２５は、ＶＬＡＮ  ＩＤ変換テーブル２２６に従い、ＯＡＭフレームのＶＬＡＮ  ＩＤを、現用ＶＬＡＮを示すＩＤ（例えば「１」）に変換する。ＶＬＡＮ  ＩＤ変換部２２５は、変換したＯＡＭフレームを、ＶＬＡＮ  ＩＤ変換テーブル２２６に従ってスイッチモジュール２５０を介して障害監視部２１４に転送する（Ｓ１０）。
【００７５】
転送処理部２２３も、転送処理部２１３と同様に、ＭＡＣ転送テーブルに従って、ＯＡＭ抽出部２２２から出力されたフレームに対して、ＶＬＡＮ  ＩＤを変換し、いずれかのラインカード＃３（２３０），＃４（２４０）に転送する（Ｓ１１）。
【００７６】
障害監視部２１４は、サービス監視用のＯＡＭフレームに関して、スイッチモジュール２５０を介してＯＡＭ抽出部２１２から受信するものと、ＶＬＡＮ  ＩＤ変換部２２５から受信するものの２つのＯＡＭフレームを受信する。２つのＯＡＭフレームともにＶＬＡＮ  ＩＤが現用ＶＬＡＮのＶＬＡＮ  ＩＤを示すものとなっており、障害監視部２１４は２つのＯＡＭフレームを区別することなく監視できる。障害監視部２１４による監視は、上述したように、例えばタイマの利用、又はフレームのシーケンス番号の確認等により行う。
【００７７】
障害監視部２１４によるサービス監視用ＯＡＭフレームの監視は、第１の実施例と同様に、通信装置３００との間の経路切り替えに影響されずに行うことができる。例えば、障害監視部２１４が通信装置１００との間の現用ＶＬＡＮを介して受信したサービス監視用ＯＡＭフレームを監視しているときに、通信装置３００との間の経路が現用ＶＬＡＮから予備ＶＬＡＮに切得られても、当該切り替えに影響なく監視できる。第１の実施例と同様に、例えば、ＯＡＭ抽出部２１２によりサービス監視用ＯＡＭフレームが抽出された後で転送処理部２１３により経路の切り替えが行われているからである。
【００７８】
図６の動作例において、ＯＡＭ抽出部２１２は、サービス監視用のＯＡＭフレームをスイッチモジュール２５０に出力するようにした。例えば、ＯＡＭ抽出部２１２は、障害監視部２１４に直接出力するようにしてもよい。図７はかかる場合の動作例を説明するための図である。
【００７９】
図７に示すように、ＯＡＭ抽出部２１２は、更に、サービス監視用のＯＡＭフレームも障害監視部２１４に出力する（Ｓ４‐１）。この場合でも、障害監視部２１４は、現用ＶＬＡＮから受信したサービス監視用のＯＡＭフレームも、予備ＶＬＡＮから受信したサービス監視用のＯＡＭフレームもＶＬＡＮ  ＩＤを区別することなく監視できる。例えば、ＯＡＭ抽出部２１２は、現用ＶＬＡＮからサービス監視用ＯＡＭフレームを入力したとき、フレーム内の「ＶＬＡＮ  ＩＤ」と「Ｅｔｈｅｒｎｅｔ（登録商標）タイプ」とに基づいてフレーム種別等を判別して、当該フレームを障害監視部２１４へ直接出力する。
【００８０】
＜送信系の動作例＞
次に送信系の動作例を説明する。図８は送信系の動作例を説明するための図である。障害監視部２１４は、サービス監視用のＯＡＭフレームを生成し、ＯＡＭ転送制御テーブル２１４１に従って現用ＶＬＡＮ又は予備ＶＬＡＮを介して通信装置１００に送信する。
【００８１】
すなわち、現用ＶＬＡＮが定常状態のとき、障害監視部２１４は、サービス監視用のＯＡＭフレームを生成し、スイッチモジュール２５０を介して送信切替部２１７に転送する（Ｓ２０）。スイッチモジュール２５０は、例えば、当該フレーム内のＶＬＡＮ  ＩＤ（例えば、「１」）に基づいて当該フレームを送信切替部２１７に転送する。
【００８２】
送信切替部２１７は転送されたＯＡＭフレームをフレーム送信部２１８に出力する。フレーム送信部２１８は、例えば、ＶＬＡＮ  ＩＤに基づいて、指定された送信ポート（例えばポート番号「１０」）からサービス監視用ＯＡＭフレームを送信する。これにより、サービス監視用のＯＡＭフレームは現用ＶＬＡＮを介して通信装置１００に送信される（Ｓ２２）。
【００８３】
一方、通信装置１００との間の現用ＶＬＡＮに障害が発生した場合、障害監視部２１４は、サービス監視用ＯＡＭフレームを生成し、スイッチモジュール２５０を介して送信切替部２２７に転送する（Ｓ２１）。スイッチモジュール２５０は、例えばＶＬＡＮ  ＩＤ（例えば、「２」）に基づいて、当該フレームを送信切替部２２７に転送する。
【００８４】
送信切替部２２７は、当該フレームをフレーム送信部２１８に出力する。フレーム送信部２２８は、例えばＶＬＡＮ  ＩＤに基づいて指定された送信ポート（例えばポート番号「２０」）から当該フレームを送信する。これにより、現用ＶＬＡＮに障害が発生した場合、予備ＶＬＡＮを介してサービス監視用のＯＡＭフレームが通信装置１００に送信される（Ｓ２３）。
【００８５】
尚、受信系の例（例えば図７）と同様に、図９に示すように、障害監視部２１４は、サービス監視用ＯＡＭフレームをフレーム送信部２１８に直接出力するようにしてもよい（Ｓ２０‐１）。当該ＯＡＭフレームはスイッチモジュール２５０を経由しないため、経由する場合と比較してスイッチモジュール２５０内の経路のリソースを軽減させることができる。
【００８６】
このように、第２の実施例において、ＶＬＡＮ  ＩＤ変換部２２５は、予備ＶＬＡＮから受信したサービス監視用ＯＡＭフレームのＶＬＡＮ  ＩＤを現用ＶＬＡＮから受信したものと同じＩＤにして出力している。これにより、障害監視部２１４は、通信装置１００との経路が現用ＶＬＡＮから予備ＶＬＡＮに切り替わってもサービス監視用ＯＡＭフレームを区別することなく入力するため、他の監視部などと連携することなく２つの経路を監視できる。
【００８７】
また、通信装置３００との経路が現用ＶＬＡＮから予備ＶＬＡＮに切り替えられたとしても、障害監視部２１４は、当該切り替えに影響なく通信装置１００から受信するサービス監視用ＯＡＭフレームを受信でき、障害に対する誤検出を防止できる。
【００８８】
次に第２の実施例におけるいくつかの変形例を説明する。
【００８９】
＜第１の変形例＞
本変形例は、現用ＶＬＡＮから受信したサービス監視用ＯＡＭフレームも、予備ＶＬＡＮから受信したサービス監視用ＯＡＭフレームも、そのＶＬＡＮ  ＩＤが共通ＶＬＡＮ  ＩＤに変換される例である。図１０は通信装置２００の構成例、図１１（Ａ）及び同図（Ｂ）はテーブルの例、図１２は動作例を夫々示す図である。尚、第１の変形例における送信系の構成例と動作例は、上述した例と同様に図５，図８〜図９に示される。
【００９０】
図１０に示すように、通信装置２００は、ラインカード＃１（２１０）において、更に、ＶＬＡＮ  ＩＤ変換部２１５と、ＶＬＡＮ  ＩＤ変換テーブル２１６とを備える。
【００９１】
尚、ラインカード＃１（２１０）のＯＡＭ抽出部２１２は、サービス監視用のＯＡＭフレームをＶＬＡＮ  ＩＤ変換部２１５に出力する。
【００９２】
ＶＬＡＮ  ＩＤ変換部２１５は、現用ＶＬＡＮから受信したサービス監視用ＯＡＭフレームについて、ＶＬＡＮ ＩＤ変換テーブル２１６に基づいて、そのＶＬＡＮ  ＩＤを共通ＶＬＡＮ  ＩＤに変換する。
【００９３】
図１１（Ａ）は、ＶＬＡＮ  ＩＤ変換テーブル２１６の例を示す図である。ＶＬＡＮ  ＩＤ変換テーブル２１６は、更に、「共通ＶＬＡＮ  ＩＤ」の項目を含む。「共通ＶＬＡＮ  ＩＤ」は、例えば、変換後のＶＬＡＮ  ＩＤを示す。ラインカード＃２（２２０）のＶＬＡＮ  ＩＤ変換テーブル２２６にも同一の共通ＶＬＡＮ  ＩＤが記憶される。
【００９４】
一方、ラインカード＃２（２２０）のＶＬＡＮ  ＩＤ変換部２２５も、ＶＬＡＮ  ＩＤ変換テーブル２２６に基づいて、サービス監視用ＯＡＭフレームのＶＬＡＮ  ＩＤを共通ＶＬＡＮ  ＩＤに変換して障害監視部２１４に出力する。図１１（Ｂ）はＶＬＡＮ  ＩＤ変換テーブル２２６の例を示す図である。ＶＬＡＮ  ＩＤ変換テーブル２２６も「共通ＶＬＡＮ  ＩＤ」の項目を含む。図１１（Ａ）及び同図（Ｂ）の例では、現用ＶＬＡＮで受信したサービス監視用ＯＡＭフレームも予備ＶＬＡＮで受信したサービス監視用ＯＡＭフレームも、共通ＶＬＡＮ  ＩＤ「１００」に変換される。
【００９５】
図１２は、第１の変形例における動作例を説明するための図である。ラインカード＃１（２１０）のＶＬＡＮ  ＩＤ変換部２１５は、サービス監視用のＯＡＭフレームのＶＬＡＮ  ＩＤを現用ＶＬＡＮのＩＤから共通ＶＬＡＮ  ＩＤに変換して出力する（Ｓ３０）。変換されたＯＡＭフレームは、スイッチモジュール２５０から障害監視部２１４に転送される。
【００９６】
通信装置１００との間の現用ＶＬＡＮに障害が発生した場合、経路が現用ＶＬＡＮから予備ＶＬＡＮに切り替えられ、ラインカード＃２（２２０）のＶＬＡＮ  ＩＤ変換部２２５は予備ＶＬＡＮからのサービス監視用ＯＡＭフレームを入力する。ＶＬＡＮ  ＩＤ変換部２２５は、当該ＯＡＭフレームのＶＬＡＮ  ＩＤを共通ＶＬＡＮ  ＩＤに変換して出力する。変換されたＯＡＭフレームは、スイッチモジュール２５０を介して障害監視部２１４に転送される。
【００９７】
障害監視部２１４は、予備ＶＬＡＮから受信したサービス監視用ＯＡＭフレームも現用ＶＬＡＮから受信したサービス監視用ＯＡＭフレームも共通のＶＬＡＮ  ＩＤが挿入されているため、両者を区別なく監視できる。
【００９８】
このように本変形例においても、通信装置２００は、通信装置１００との経路が現用ＶＬＡＮから予備ＶＬＡＮに経路が切り替えられても、障害監視部２１４にサービス監視用ＯＡＭフレームが集められる。障害監視部２１４は、入力した当該ＯＡＭフレームには共通のＶＬＡＮ  ＩＤが挿入されるため、両者を区別なく監視できる。従って、障害監視部２１４は、他の監視部等と連携することなくサービスを監視できる。
【００９９】
また、通信装置３００との間の経路が現用ＶＬＡＮから予備ＶＬＡＮに切り替えられても、その切り替えに影響なく、ＶＬＡＮ  ＩＤ変換部２１５，２２５は共通ＩＤに変換して障害監視部２１４にサービス監視用のＯＡＭフレームを出力できる。よって、通信装置３００との経路が切り替えられても、障害監視部２１４は通信装置１００との間のサービスに対して障害を検出でき、誤検出を防止できる。
【０１００】
＜第２の変形例＞
次に第２の変形例を説明する。第２の変形例は、専用のカード（又はボード）上にサービス監視用の障害監視部がある例である。図１３は、第２の変形例における通信装置２００の構成例を示す図である。
【０１０１】
通信装置２００は、更に、障害監視カード２５５を備え、障害監視カード２５５は障害監視部２５６を備える。
【０１０２】
この場合、ＶＬＡＮ  ＩＤ変換部２２５は、例えば、上述した例と同様に、予備ＶＬＡＮから受信したサービス監視用のＯＡＭフレームのＶＬＡＮ  ＩＤを現用ＶＬＡＮのＶＬＡＮ  ＩＤに変換する。又は、ＶＬＡＮ  ＩＤ変換部２２５は、現用ＶＬＡＮも予備ＶＬＡＮも双方から受信したサービス監視用ＯＡＭフレームのＶＬＡＮ  ＩＤを共通ＶＬＡＮ  ＩＤに変換することもできる。
【０１０３】
図１４（Ａ）はＶＬＡＮ  ＩＤ変換テーブル２２６の例を示す図である。この場合、「障害監視カード番号」は、例えば、専用の障害監視カードのカード番号（又はボード番号）を示す。
【０１０４】
第２の変形例の場合においても、現用ＶＬＡＮからのサービス監視用ＯＡＭフレームも予備ＶＬＡＮからのサービス監視用ＯＡＭフレームも１つの障害監視部２５６に集められる。このとき、通信装置１００との経路が現用ＶＬＡＮから予備ＶＬＡＮに切り替えられてもＶＬＡＮ  ＩＤは同一のため、障害監視部２５６は両者を区別することなくサービス監視を行うことができる。よって、通信装置１００との経路が切り替えられても、障害監視部２５６により通信装置１００に対するサービスを監視できるため、障害監視部２５６は他の監視部等と連携することなくサービスを監視できる。また、通信装置３００との経路が切り替えられても、その切り替えに影響なく、障害監視部２５６はサービス監視用ＯＡＭフレームを入力するため、当該サービスに対する誤検出を防止できる。
【０１０５】
図１５は、通信装置２００が、更に、２つのラインカード＃１（２１０），＃２（２２０）を備える場合において、専用の障害監視カード２５５を備える場合の構成例を示す図である。この場合、ＯＡＭ抽出部２１２もＶＬＡＮ  ＩＤ変換部２２５も、専用の障害監視カード２５５にサービス監視用のＯＡＭフレームを送信するようになっている。
【０１０６】
ＯＡＭ抽出部２１２は、障害監視部２５６の送信先を示す障害監視部位置テーブルを保持し、この情報に従ってサービス監視用のＯＡＭフレームを障害監視カード２５５に転送する。
【０１０７】
図１４（Ｂ）は障害監視部位置テーブル２１２１の例を示す図である。障害監視部位置テーブル２１２１は、「受信ＶＬＡＮ」と「障害監視カード番号」とを含む。「受信ＶＬＡＮ」は、例えば、対象となるサービス監視用ＯＡＭフレームのＶＬＡＮ  ＩＤ、「障害監視カード番号」は、例えば、専用の障害監視カード２５５のカード番号を示す。
【０１０８】
ＶＬＡＮ  ＩＤ変換部２２５は、ＶＬＡＮ  ＩＤ変換テーブル２２６に従って、ＶＬＡＮ  ＩＤを現用ＶＬＡＮに変換し、ＶＬＡＮ  ＩＤ変換テーブル２２６に記憶された「障害監視カード番号」（例えば図１４（Ａ））に従って転送する。
【０１０９】
図１６は、第２の変形例における動作例を説明するための図である。ラインカード＃１（２１０）のＯＡＭ抽出部２１２は、障害監視部位置テーブル２１２１に従って、サービス監視用ＯＡＭフレームを障害監視カード２５５に転送する（Ｓ４０）。
【０１１０】
一方、通信装置１００との現用ＶＬＡＮの障害により経路が予備ＶＬＡＮに切り替えられたとき、ＯＡＭ抽出部２２２は、サービス監視用ＯＡＭフレームをＶＬＡＮ  ＩＤ変換部２２５に出力する（Ｓ９）。
【０１１１】
ＶＬＡＮ  ＩＤ変換部２２５は、ＶＬＡＮ  ＩＤ変換テーブル２２６に従い、当該ＯＡＭフレームのＶＬＡＮ  ＩＤを現用ＶＬＡＮと同一のものにし、変換後のＯＡＭフレームを、障害監視カード２５５に転送する（Ｓ４１）。
【０１１２】
障害監視部２５６は、２つのラインカード＃１（２１０），＃２（２２０）から転送された２つのサービス監視用ＯＡＭフレームについて、そのＶＬＡＮ  ＩＤは現用ＶＬＡＮと同一となっているため両者を区別なく処理でき、サービス監視を行うことができる。
【０１１３】
この変形例の場合も、現用ＶＬＡＮと予備ＶＬＡＮの双方から受信したサービス監視用ＯＡＭフレームが１つの障害監視部２５６に集められて、障害監視部２５６はすべて現用ＶＬＡＮと同一のＩＤが挿入されたサービス監視用ＯＡＭフレームを入力する。よって、通信装置１００との経路が切り替えられても、障害監視部２５６は他の監視部等と連携することなくサービスを監視できる。また、通信装置３００との経路が切り替えられても、その切り替えに影響なく、障害監視部２５６はサービス監視用ＯＡＭフレームを入力するため、当該サービスに対する誤検出を防止できる。
【０１１４】
尚、専用の障害監視カード２５５が用いられる場合、サービス監視用のＯＡＭフレームを常に専用の障害監視カード２５５に出力することで、ＶＬＡＮ  ＩＤ変換テーブル２２６と障害監視部位置テーブル２１２１の「障害監視カード番号」を削除できる。これにより、ＯＡＭ抽出部２１２とＶＬＡＮ  ＩＤ変換テーブル２２６は、「障害監視カード番号」の情報を保持することがないため、記憶する情報量を削減できる。
【０１１５】
本第２の実施例では、現用ＶＬＡＮと接続されたラインカード＃１（２１０）の障害監視部２１４、又は専用の障害監視カード２５５の障害監視部２５６がサービス監視を行うものとして説明した。いずれかの障害監視部２１４，２５６においてサービス監視を行うようにすることもでき、サービス監視の負荷を分散することもできる。この場合、例えば、ＶＬＡＮ  ＩＤ変換テーブル２２６と障害監視部位置テーブル２１２１における「障害監視カード番号」を変更することで、サービス監視用のＯＡＭフレームをいずれかの障害監視部２１４，２５６に出力できる。
【０１１６】
＜第３の実施例＞
次に第３の実施例を説明する。上述した第２の実施例では、１つの障害監視部２１４，２５６がサービスを監視する例について説明した。本第３の実施例は、複数の障害監視部がサービスを監視する例である。例えば、図４において、ラインカード＃１（２１０）自体が故障した場合、障害監視部２１４はサービスを監視できない。かかる場合、通信装置１００との間の予備ＶＬＡＮがアクティブにも拘わらず、これを監視できずにサービス障害と誤検出する場合がある。本第３の実施例では、サービス監視を行う障害監視部が複数あることでかかる誤検出を防止する。
【０１１７】
図１７は第３の実施例における通信装置２００の受信系の構成例、図１８（Ａ）及び同図（Ｂ）はテーブルの例、図１９は送信系の構成例、図２０〜図２３は動作例を夫々示す図である。
【０１１８】
＜受信系の構成例＞
図１７は通信装置２００の受信系の構成例を示す図である。第２の実施例（例えば図４）と同様に、例えば、図１のラインカード＃１（２０１）は、図１７のラインカード＃１（２１０）とラインカード＃２（２２０）に対応し、図１のラインカード＃３（２０２）は、図１７のラインカード＃３（２３０）とラインカード＃４（２４０）に対応する。
【０１１９】
ラインカード＃１（２１０）のＯＡＭ抽出部２１２は、現用ＶＬＡＮを介して受信したサービス監視用のＯＡＭフレームを複製し、障害監視部位置テーブル２１２１に従って、ラインカード＃１（２１０）とラインカード＃２（２２０）の２つの障害監視部２１４，２２４に転送する。
【０１２０】
図１８（Ａ）は、障害監視部位置テーブル２１２１の例を示す図である。第３の実施例における障害監視部位置テーブル２１２１は、「障害監視カード番号」として、例えば、障害監視部２１４，２２４のあるすべてのカード番号が記憶される。この例では、サービス監視用ＯＡＭフレームは、２つのカード番号「１０００」と「２０００」が記憶され、２つのカード（ラインカード＃１（２１０）とラインカード＃２（２２０））に転送されることを示す。
【０１２１】
一方、ラインカード＃２（２２０）のＶＬＡＮ  ＩＤ変換部２２５は、予備ＶＬＡＮを介して受信したサービス監視用ＯＡＭフレームのＶＬＡＮ  ＩＤを現用ＶＬＡＮのＩＤに変換した後、複製する。そして、ＶＬＡＮ  ＩＤ変換部２２５は、ＶＬＡＮ  ＩＤ変換テーブル２２６に従って、ラインカード＃１（２１０）とラインカード＃２（２２０）の障害監視部２１４，２２４に変換後のサービス監視用ＯＡＭフレームを転送する。
【０１２２】
図１８（Ｂ）はＶＬＡＮ  ＩＤ変換テーブル２２６の例を示す図である。ＶＬＡＮ  ＩＤ変換テーブル２２６の「障害監視カード番号」も、例えば、障害監視部２１４，２２４のあるすべてのカード番号を示す。
【０１２３】
ラインカード＃１（２１０）の障害監視部２１４は、通信装置１００に対する現用ＶＬＡＮが定常状態のとき、ＯＡＭ抽出部２１２から転送されたサービス監視用ＯＡＭフレームを入力する。また、障害監視部２１４は、経路が予備ＶＬＡＮに切り替えられたとき、ＶＬＡＮ  ＩＤ変換部２２５から転送されたサービス監視用ＯＡＭフレームを入力する。障害監視部２１４は、例えばタイマの利用等により、入力した当該ＯＡＭフレームを監視することでサービスを監視する。
【０１２４】
また、ラインカード＃２（２２０）の障害監視部２２４は、現用ＶＬＡＮが定常状態のとき、ＯＡＭ抽出部２１２から転送されたサービス監視用ＯＡＭフレームを入力する。また障害監視部２１４は、経路が予備ＶＬＡＮに切り替えられたとき、ＶＬＡＮ  ＩＤ変換部２２５から転送されたサービス監視用ＯＡＭフレームを入力する。障害監視部２２４も、例えばタイマ等の利用により、入力した当該ＯＡＭフレームを監視することでサービスを監視する。
【０１２５】
＜送信系の構成例＞
図１９は、第３の実施例における通信装置２００の送信系の構成例を示す図である。ラインカード＃１（２１０）の障害監視部２１４は、第２の実施例と同様にＯＡＭ送信制御テーブル２１４１（例えば図３（Ｃ））に従い、当該ＯＡＭフレームをいずれかの送信切替部２１７，２２７に転送する。
【０１２６】
ラインカード＃２（２２０）の障害監視部２２４もＯＡＭ送信制御テーブル２２４１（例えば図３（Ｃ））に従い、サービス監視用ＯＡＭフレームを生成し、当該ＯＡＭフレームを送信切替部２１７，２２７に転送する。
【０１２７】
送信切替部２１７は、２つの障害監視部２１４，２２４から夫々同じＶＬＡＮ  ＩＤ（例えば現用ＶＬＡＮのＶＬＡＮ  ＩＤと同一）のサービス監視用ＯＡＭフレームを入力する。送信切替部２１７は、どちらか一方の当該ＯＡＭフレームをフレーム送信部２１８に出力する。例えば、送信切替部２１７は、障害監視部２１４から送信されたサービス監視用ＯＡＭフレームをフレーム送信部２１８に出力する。フレーム送信部２１８は現用ＶＬＡＮを介して通信装置１００にサービス監視用ＯＡＭフレームを送信する。
【０１２８】
送信切替部２２７は、２つの障害監視部２１４，２２４から、ＶＬＡＮ  ＩＤが同一（例えば予備ＶＬＡＮのＶＬＡＮ  ＩＤ）のサービス監視用ＯＡＭフレームを入力する。この場合も、送信切替部２２７はいずれか一方、例えば障害監視部２２４からのサービス監視用ＯＡＭフレームをフレーム送信部２２８に出力する。
【０１２９】
尚、障害監視部２１４は、送信切替部２１７に出力するサービス監視用ＯＡＭフレームを、スイッチモジュール２５０を経由せず、送信切替部２１７に直接出力してもよい。障害監視部２２４も、送信切替部２２７に出力するサービス監視用ＯＡＭフレームを送信切替部２１７に直接出力してもよい。
【０１３０】
＜動作例＞
次に、本第３の実施例における動作例を説明する。図２０及び図２１は受信系における動作例、図２２及び図２３は送信系における動作例を説明するための図である。第２の実施例と同様に、図２０等には説明の便宜から一部構成を省略して記載している。
【０１３１】
図２０に示すように、通信装置２００は、通信装置１００から現用ＶＬＡＮを介してサービス監視用ＯＡＭフレームを受信すると、ＯＡＭ抽出部２１２は、当該ＯＡＭフレームを複製する。そして、ＯＡＭ抽出部２１２は、障害監視部位置テーブル２１２１に従い、スイッチモジュール２５０を介して２つの障害監視部２１４，２２４に当該ＯＡＭフレームを転送する（Ｓ４，Ｓ５０）。
【０１３２】
このとき、例えば、通信装置３００との間の現用ＶＬＡＮに障害が発生した場合、転送処理部２１３は現用ＶＬＡＮから予備ＶＬＡＮに経路を切り替えて、データフレーム等を送信する。しかし、サービス監視用ＯＡＭフレームはかかる経路切り替えに影響することなく、２つの障害監視部２１４，２２４に出力される。
【０１３３】
一方、通信装置１００との間の現用ＶＬＡＮに障害が発生した場合、経路が予備ＶＬＡＮに切り替えられる。このとき、当該予備ＶＬＡＮを介して入力されたサービス監視用ＯＡＭフレームは、ＯＡＭ抽出部２２２を経由してＶＬＡＮ  ＩＤ変換部２２５に入力される（Ｓ９）。
【０１３４】
ＶＬＡＮ  ＩＤ変換部２２５は、入力したサービス監視用ＯＡＭフレームのＶＬＡＮ  ＩＤを第１の実施例等と同様に現用ＶＬＡＮと同一のものにし、複製する。そして、ＶＬＡＮ  ＩＤ変換部２２５は、ＶＬＡＮ  ＩＤ変換テーブル２２６に従い、スイッチモジュール２５０を介して当該ＯＡＭフレームを２つの障害監視部２１４，２２４に転送する（Ｓ１０，Ｓ５１）。
【０１３５】
このときに、通信装置３００との経路が現用ＶＬＡＮから予備ＶＬＡＮに切り替えられても、その切り替えに影響なく、当該ＯＡＭフレームは障害監視部２１４，２２４に転送される。
【０１３６】
２つの障害監視部２１４，２２４は、通信装置２００が現用ＶＬＡＮからサービス監視用ＯＡＭフレームを受信したとき、ともに当該サービス監視用ＯＡＭフレームを入力する（Ｓ４，Ｓ５０）。また、２つの障害監視部２１４，２２４は、通信装置２００が予備ＶＬＡＮからサービス監視用ＯＡＭフレームを受信したとき、ともに当該サービス監視用ＯＡＭフレームを入力する（Ｓ１０，Ｓ５１）。２つの障害監視部２１４，２２４はともにサービス監視用ＯＡＭフレームに対してタイマ等を利用することでサービスを監視できる。
【０１３７】
このように通信装置１００との経路が切り替えられても、２つの障害監視部２１４，２２４はともに同一ＶＬＡＮ  ＩＤのサービス監視用ＯＡＭフレームを入力する。従って、例えば、ラインカード＃１（２１０）又はラインカード＃２（２２０）に障害が発生しても、いずれかのラインカード＃１（２１０），＃２（２２０）の障害監視部２１４，２２４でサービスを監視できる。
【０１３８】
尚、２つの障害監視部２１４，２２４によりサービス監視を行う場合、以下のようにサービス障害を検出できる。例えば、一方の障害監視部２１４，２２４によりサービス監視が行われない場合でも、他方の障害監視部２１４，２２４によりサービス監視が行われ正常だった場合、サービス障害ではないとする。一方、サービス監視が行われていないものも含めて全ての障害監視部２１４，２２４がサービス監視用ＯＡＭフレームを一定期間受信できない場合、サービス障害であるとする。尚、以上のようなサービス障害の検出は、例えば、各障害監視部２１４，２２４に接続された上位装置に各障害監視部２１４，２２４がサービス障害の有無を通知することで実現できる。
【０１３９】
尚、上述した例は複製されたサービス監視用ＯＡＭフレームが全てスイッチモジュール２５０を経由して各障害監視部２１４，２２４に出力される例を説明した。例えば、第２の実施例と同様に、ラインカード＃１（２１０），＃２（２２０）内の障害監視部２１４，２２４に当該ＯＡＭフレームが送信される場合、スイッチモジュール２５０を介さないようにすることもできる。
【０１４０】
図２１はかかる場合の動作例を説明するための図である。ラインカード＃１（２１０）のＯＡＭ抽出部２１２は、複製したサービス監視用ＯＡＭフレームの一方を障害監視部２１４に直接出力する（Ｓ４‐２）。一方、ＶＬＡＮ  ＩＤ変換部２２５も、複製したサービス監視用ＯＡＭフレームの一方を障害監視部２２４に直接出力する（Ｓ５１‐１）。
【０１４１】
次に第３の実施例における送信系の動作例を説明する。図２２及び図２３は動作例を説明するための図である。
【０１４２】
図２２に示すように、障害監視部２１４は、ＯＡＭ送信制御テーブル２１４１（例えば図３（Ｃ））に従って、サービス監視用ＯＡＭフレームを生成し、現用ＶＬＡＮが定常状態のとき、当該ＯＡＭフレームを送信切替部２１７に転送する（Ｓ２０）。一方、障害監視部２１４は、現用ＶＬＡＮに障害が発生したとき、当該ＯＡＭフレームを送信切替部２２７に転送する（Ｓ２１）。
【０１４３】
障害監視部２２４も、ＯＡＭ送信制御テーブル２２４１（例えば図３（Ｃ））に従って、サービス監視用ＯＡＭフレームを生成し、現用ＶＬＡＮが定常状態のとき、当該ＯＡＭフレームを送信切替部２１７に転送する（Ｓ６０）。一方、障害監視部２２４は、現用ＶＬＡＮに障害が発生したとき、当該ＯＡＭフレームを送信切替部２２７に転送する（Ｓ６１）。
【０１４４】
送信切替部２１７は、２つの障害監視部２１４，２２４から出力されたサービス監視用ＯＡＭフレームを入力し、いずれか一方（例えば、障害監視部２１４からのサービス監視用ＯＡＭフレーム）をフレーム送信部２１８に出力する。これにより、現用ＶＬＡＮが定常状態のとき、サービス監視用ＯＡＭフレームが現用ＶＬＡＮから送信される。
【０１４５】
また、送信切替部２２７は、２つの障害監視部２１４，２２４から出力されたサービス監視用ＯＡＭフレームを入力し、いずれか一方（例えば、障害監視部２２４からのサービス監視用ＯＡＭフレーム）をフレーム送信部２２８に出力する。これにより、現用ＶＬＡＮに障害が発生したとき、サービス監視用ＯＡＭフレームが予備ＶＬＡＮから送信される。
【０１４６】
また、送信系についても受信系と同様に、ラインカード＃１（２１０），＃２（２２０）内の送信切替部２１７，２２７にサービス監視用ＯＡＭフレームが出力されるとき、スイッチモジュール２５０を介さずに、送信切替部２１７，２２７に直接出力されてもよい。
【０１４７】
図２３はかかる場合の動作例を説明するための図である。同図に示すように、障害監視部２１４は、通信装置１００との間の現用ＶＬＡＮが定常状態のとき、生成したサービス監視用ＯＡＭフレームを送信切替部２１７に直接出力する（Ｓ２０‐１）。一方、通信装置１００との間の現用ＶＬＡＮに障害が発生したとき、障害監視部２２４は、生成したサービス監視用ＯＡＭフレームを送信切替部２２７に直接出力する（Ｓ６１‐１）。
【０１４８】
以上説明してきたように、本第３の実施例では、各障害監視部２１４，２２４は、通信装置１００との間の経路が切り替えられても、サービス監視用ＯＡＭフレームを入力し、サービスの監視を行うことができる。その際に、各障害監視部２１４，２２４は相互に情報を交換することなく監視できるため、互いに連携することなくサービス監視を行うことができる。また、通信装置３００との経路が切り替えられても、各障害監視部２１４，２２４は、切り替えに影響することなくサービス監視用ＯＡＭフレームを入力できるため、当該切り替えによるサービス障害の誤検出を防止できる。
【０１４９】
更に、本第３の実施例では、各障害監視部２１４，２２４が分散してサービス障害を監視する。従って、いずれかのラインカード＃１（２１０），＃２（２２０）自体に障害が発生したときでも、他方のラインカード＃１（２１０），＃２（２２０）の障害監視部２１４，２２４がサービス障害を監視できる。
【０１５０】
尚、本第３の実施例では、ＶＬＡＮ  ＩＤ変換部２２５が予備ＶＬＡＮを介して受信したサービス監視用ＯＡＭフレームのＶＬＡＮ  ＩＤを現用ＶＬＡＮと同一にして転送する例を説明した。第２の実施例の第１の変形例と同様に、現用ＶＬＡＮと予備ＶＬＡＮから受信した２つのサービス監視用ＯＡＭフレームのＶＬＡＮ  ＩＤを共通ＶＬＡＮ  ＩＤに変換するようにしてもよい。図３４はかかる場合の通信装置２００の構成例を示す図である。２つのＶＬＡＮ  ＩＤ変換部２１５，２２５は夫々現用ＶＬＡＮと予備ＶＬＡＮから受信したサービス監視用ＯＡＭフレームに対して共通ＶＬＡＮ  ＩＤに変換して複製する。ＶＬＡＮ  ＩＤ変換部２１５は、複製した当該ＯＡＭフレームを２つの障害監視部２１４，２２４に出力する。ＶＬＡＮ  ＩＤ変換部２２５も、複製した当該ＯＡＭフレームを２つの障害監視部２１４，２２４に出力する。これにより、上述した第３の実施例と同様に実施できる。
【０１５１】
＜第４の実施例＞
第１〜第３の実施例では、例えば、ＶＬＡＮ  ＩＤを用いてサービスが監視される例について説明した。本第４の実施例では、サービス識別子によりサービスが監視される例について説明する。
【０１５２】
図２４は通信装置２００の受信系の構成例を示す図である。送信系の構成例は、第１の実施例と同様に図２に示される。
【０１５３】
図２４に示すように、通信装置２００は、更に、サービス識別子付与部２５１と、サービス識別テーブル２５２とを備える。
【０１５４】
サービス識別子付与部２５１は、ＯＡＭ抽出部２１２で抽出されたサービス監視用ＯＡＭフレーム（例えば、監視レベル「Ｋ＋１」）を入力し、サービス識別テーブル２５２に従って、当該ＯＡＭフレームにサービス識別子を付与する。また、サービス識別子付与部２５１は、サービス識別子を付与したサービス監視用ＯＡＭフレームを、サービス識別テーブル２５２に従って、スイッチモジュール２５０を介してサービス監視用の障害監視部のあるラインカード（又はボード）に転送する。
【０１５５】
サービス識別テーブル２５２は、付与すべきサービス識別子等を保持する。図２５（Ａ）は、サービス識別テーブル２５２の例を示す図である。サービス識別テーブル２５２は、「受信ＶＬＡＮ」と、「障害監視カード番号」、更に、「サービス識別子」の各項目を含む。「サービス識別子」は、例えば、サービス監視用ＯＡＭフレームに付与されるサービス識別子を示す。
【０１５６】
図２４における動作は、例えば以下のようになる。すなわち、ＯＡＭ抽出部２１２は、第１の実施例等と同様に通信装置１００と接続された現用ＶＬＡＮ及び予備ＶＬＡＮから受信したサービス監視用ＯＡＭフレームを抽出し、サービス識別子付与部２５１に出力する。
【０１５７】
サービス識別子付与部２５１は、サービス識別テーブル２５２に従い、現用ＶＬＡＮから受信した当該ＯＡＭフレームも予備ＶＬＡＮから受信したＯＡＭフレームも共にサービス識別子（例えば「１００」）を付与し、障害監視部２１４に転送する。
【０１５８】
障害監視部２１４は、２つの経路からのサービス監視用ＯＡＭフレームに対して、タイマの利用等により、サービスを監視する。
【０１５９】
尚、転送処理部２１３は、第１の実施例等と同様に、ＯＡＭ抽出部２１２で抽出されたフレーム以外のフレームに対して、ＭＡＣ転送テーブル２１３１（例えば図３（Ａ））に従い、通信装置３００に接続された現用ＶＬＡＮ又は予備ＶＬＡＮに送信する。
【０１６０】
このように、本第４の実施例においても、例えば、現用ＶＬＡＮを介して受信したサービス監視用ＯＡＭフレームも、予備ＶＬＡＮを介して受信したサービス監視用ＯＡＭフレームも、同一のサービス識別子が付与されて障害監視部２１４に入力される。障害監視部２１４は、同一の２つのＯＡＭフレームを区別なく処理でき、他の障害部等と連携することなく通信装置１００との間のサービスを監視できる。また、転送処理部２１３により、通信装置３００との間の経路が現用ＶＬＡＮから予備ＶＬＡＮに切り替えられたとしても、サービス監視用ＯＡＭフレームはサービス識別子付与部２５１等を介して障害監視部２１４に入力されるため、かかる切り替えに影響されない。従って、通信装置２００は、かかる経路の切り替えによって、通信装置１００との間のサービス障害に対する誤検出を防止できる。
【０１６１】
尚、サービス監視用障害監視部は、第２の実施例における第２の変形例（例えば図１３）と同様に、専用の障害監視カード２５５を備え、障害監視カード２５５の障害監視部２５６によりサービスを監視することもできる。図３５はかかる場合の通信装置２００の構成例を示す図である。この場合、サービス識別テーブル２５２は、転送先として障害監視カード２５５のカード番号（又はボード番号）を記憶すればよい。
【０１６２】
＜第５の実施例＞
次に第５の実施例について説明する。第５の実施例では、第４の実施例におけるラインカード＃１（２０１），＃３（２０２）がそれぞれ２つある場合の例である。図２６は第５の実施例における通信装置２００の受信系の構成例、図２７及び図２８は動作例を夫々示す図である。尚、第５の実施例における通信装置２００の送信系の構成例と動作例は、第２の実施例と同様に例えば図５、及び図８〜図９に示される。
【０１６３】
＜構成例＞
図２６は第５の実施例における通信装置２００の受信系の構成例を示す図である。例えば、図２４のラインカード＃１（２０１）は、図２６のラインカード＃１（２１０）とラインカード＃２（２２０）に対応し、図４のラインカード＃３（２０２）は、図２６のラインカード＃３（２３０）とラインカード＃４（２４０）に対応する。また、２つのラインカード＃１（２１０），＃２（２２０）に、サービス識別子付与部２５１，２５３と、サービス識別テーブル２５２，２５４とを夫々備える。
【０１６４】
ラインカード＃１（２１０）のサービス識別子付与部２５１は、現用ＶＬＡＮを介して受信したサービス監視用ＯＡＭフレーム（例えば、ＶＬＡＮ  ＩＤ＝１）を入力し、サービス識別テーブル２５２（例えば、図２５（Ｂ））に従って、サービス識別子を付与する。また、サービス識別子付与部２５１は、サービス識別テーブル２５２に従って、サービス監視用の障害監視部２１４にサービス識別子が付与されたサービス監視用ＯＡＭフレームを転送する。
【０１６５】
ラインカード＃２（２２０）のサービス識別子付与部２５３は、予備ＶＬＡＮを介して受信したサービス監視用ＯＡＭフレーム（例えば、ＶＬＡＮ  ＩＤ＝２）を入力する。サービス識別子付与部２５３は、サービス識別テーブル２５４（例えば、図２５（Ｃ））に従って、サービス識別子を付与し、スイッチモジュール２５０を介して、サービス監視用の障害監視部２１４に転送する。
【０１６６】
障害監視部２１４は、同一（又は共通）のサービス識別子が付与されたサービス監視用ＯＡＭフレームを入力し、タイマ利用等により、サービスを監視する。
【０１６７】
＜動作例＞
次に第５の実施例における動作例を説明する。図２７及び図２８は動作例を説明するための図である。
【０１６８】
通信装置２００は、通信装置１００と接続された現用ＶＬＡＮが定常状態のとき、現用ＶＬＡＮからサービス監視用ＯＡＭフレーム（例えば、ＶＬＡＮ  ＩＤ＝１）を受信する。サービス識別子付与部２５１は、受信したサービス監視用ＯＡＭフレームを入力し、サービス識別子（例えば、「１００」）を付与して、スイッチモジュール２５０を経由して、サービス監視用の障害監視部２１４に転送する（Ｓ７０）。
【０１６９】
このとき、例えば、転送処理部２１３が通信装置３００との経路を現用ＶＬＡＮから予備ＶＬＡＮに変更しても、障害監視部２１４は、経路変更に影響なくサービス監視用ＯＡＭフレームを入力する。
【０１７０】
一方、通信装置１００と接続された現用ＶＬＡＮに障害等が発生し、経路が予備ＶＬＡＮに切り替えられた場合、ラインカード＃２（２２０）がサービス監視用ＯＡＭフレーム（例えば、ＶＬＡＮ  ＩＤ＝２）を受信する。サービス識別子付与部２５３は、当該フレームにサービス識別子（例えば、「１００」）を付与し、スイッチモジュール２５０を介してサービス監視用の障害監視部２１４に転送する（Ｓ７１）。
【０１７１】
このとき、例えば、転送処理部２２３が通信装置３００との経路を現用ＶＬＡＮから予備ＶＬＡＮに変更しても、障害監視部２１４は、経路変更に影響なく、サービス識別子付与部２５３からのサービス監視用ＯＡＭフレームを入力できる。
【０１７２】
障害監視部２１４は、サービス監視用ＯＡＭフレームを入力し（Ｓ７０，Ｓ７１）、例えばシーケンス番号等やタイマ等によりその連続性を確認することで、サービス障害を監視する。
【０１７３】
上述した例は、サービス識別子付与部２５１は、スイッチモジュール２５０を介して障害監視部２１４にサービス監視用ＯＡＭフレームを送信した。例えば、図２８に示すように、サービス識別子付与部２５１は、当該ＯＡＭフレームを障害監視部２１４に直接出力することもできる（Ｓ７０‐１）。
【０１７４】
このように本第５の実施例についても、現用ＶＬＡＮから受信したサービス監視用ＯＡＭフレームも、予備ＶＬＡＮから受信したサービス監視用ＯＡＭフレームも、異なるＶＬＡＮ  ＩＤを持つものの、同一のサービス識別子が付与されて障害監視部２１４に入力される。障害監視部２１４は、通信装置１００との経路が切り替えられても２つのＯＡＭフレームを区別なく処理でき、当該ＯＡＭフレームの連続性等を確認することで、他の障害部等と連携することなく通信装置１００との間のサービス障害を監視できる。
【０１７５】
また、転送処理部２１３により、通信装置３００との経路が現用ＶＬＡＮから予備ＶＬＡＮに切り替えられたとしても、サービス監視用ＯＡＭフレームはサービス識別子付与部２５１等を介して障害監視部２１４に入力されるため、かかる切り替えに影響されない。従って、通信装置２００は、かかる経路の切り替えによって、サービス障害に対する誤検出を防止できる。
【０１７６】
尚、第２の実施例で説明したが、専用の障害監視カード２５５と障害監視部２５６によりサービス障害を検出することもできる（例えば、図１３、図１５等）。この場合、例えば、図１３及び図１５において、ＶＬＡＮ  ＩＤ変換部２２５に代えてサービス識別子付与部２５１，２５３、また、ＶＬＡＮ  ＩＤ変換テーブル２２６に代えてサービス識別テーブル２５２，２５４を備えることで実施できる。
【０１７７】
専用の障害監視カード２５５が用いられる場合でも、障害監視部２１４によりサービス障害を検出する場合でも、例えば、サービス監視用ＯＡＭフレームの転送先を予め決めておくことで、サービス識別テーブル２５２の「障害監視カード番号」を削除でき情報量を削減できる。
【０１７８】
＜第６の実施例＞
次に第６の実施例を説明する。第６の実施例は、例えば、第４の実施例等と同様にサービス識別子を用いる場合の例であり、第３の実施例と同様に複数の障害監視部がサービス障害を監視する例である。
【０１７９】
図２９は第６の実施例における通信装置２００の受信系の構成例、図３０（Ａ）及び同図（Ｂ）はサービス識別テーブルの例、図３１及び図３２は動作例を夫々示す図である。尚、通信装置２００の送信系の構成例は、第３の実施例と同様である（例えば図１９）。
【０１８０】
＜構成例＞
第６の実施例における通信装置２００の受信系の構成例を説明する。図２９に示すように、ラインカード＃１（２１０）のサービス識別子付与部２５１は、現用ＶＬＡＮから受信したサービス監視用ＯＡＭフレームに対して、サービス識別テーブル２５２に従ってサービス識別子を付与し、サービス識別子が付与された当該ＯＡＭフレームを複製する。サービス識別子付与部２５１は、サービス識別テーブル２５２に従って、スイッチモジュール２５０を介して２つの障害監視部２１４，２２４に、複製したＯＡＭフレームを転送する。
【０１８１】
サービス識別テーブル２５２は、第５の実施例と同様に、対象となるＶＬＡＮ  ＩＤと、付与すべきサービス識別子とを保持するが、更に、転送先として障害監視部２１４，２２４のあるすべてのカード番号（又はボード番号）の情報を保持する。図３０（Ａ）はサービス識別テーブル２５２に例を示す図である。この例の場合、サービス識別子「１００」が付与された、ＶＬＡＮ  ＩＤが「１」のサービス監視用ＯＡＭフレームは、カード番号「１０００」と「２０００」に転送される。
【０１８２】
一方、サービス識別子付与部２５３は、予備ＶＬＡＮから受信した監視用ＯＡＭフレームに対して、サービス識別テーブル２５４に従ってサービス識別子を付与し、サービス識別子が付与された当該ＯＡＭフレームを複製する。サービス識別子付与部２５３は、サービス識別テーブル２５４に従って、スイッチモジュール２５０を介して障害監視部２２４とラインカード＃１（２１０）の障害監視部２１４に、複製したＯＡＭフレームを転送する。
【０１８３】
図３０（Ｂ）は、サービス識別テーブル２５４の例を示す図である。この例の場合、サービス識別子「１００」が付与された、ＶＬＡＮ  ＩＤが「２」のサービス監視用ＯＡＭフレームは、カード番号「１０００」と「２０００」に転送される。
【０１８４】
２つの障害監視部２１４，２２４は、ともに同一のサービス識別子が付与されたサービス監視用ＯＡＭフレームを入力し、タイマ等の利用により、通信装置１００との間のサービスを監視できる。
【０１８５】
＜動作例＞
図３１は第６の実施例における動作例を説明するための図である。サービス識別子付与部２５１は、通信装置１００と接続された現用ＶＬＡＮが定常状態のとき、サービス監視用ＯＡＭフレーム（例えば、ＶＬＡＮ  ＩＤ＝１）を入力し、当該フレームにサービス識別子（例えば「１００」）を付与する。サービス識別子付与部２５１は、スイッチモジュール２５０を介して、サービス識別子を付与したサービス監視用ＯＡＭフレームを２つの障害監視部２１４，２２４に転送する（Ｓ７０，Ｓ７５）。
【０１８６】
このとき、例えば、通信装置３００と接続された現用ＶＬＡＮに障害が発生した場合、転送処理部２１３は現用ＶＬＡＮから予備ＶＬＡＮに経路を切り替えて、データフレーム等を送信することになる。しかし、サービス監視用ＯＡＭフレームはかかる経路切り替えに影響することなく、２つの障害監視部２１４，２２４に出力される。
【０１８７】
一方、通信装置１００と接続された現用ＶＬＡＮに障害が発生した場合、経路が予備ＶＬＡＮに切り替えられ、サービス識別子付与部２５３は、当該予備ＶＬＡＮを介して入力されたサービス監視用ＯＡＭフレーム（例えば、ＶＬＡＮ  ＩＤ＝２）を入力する。サービス識別子付与部２５３は、入力したサービス監視用ＯＡＭフレームにサービス識別子（例えば、「１００」）を付与した後、複製する。そして、サービス識別子付与部２５３は、スイッチモジュール２５０を経由して、２つの障害監視部２１４，２２４に複製したＯＡＭフレームを転送する（Ｓ７１，Ｓ７６）。
【０１８８】
このときに、通信装置３００との経路が現用ＶＬＡＮから予備ＶＬＡＮに切り替えられても、その切り替えに影響なく、当該ＯＡＭフレームは障害監視部２１４，２２４に出力される。
【０１８９】
障害監視部２１４は、現用ＶＬＡＮが定常状態のとき、サービス識別子付与部２５１からサービス監視用ＯＡＭフレームを入力し、経路が予備ＶＬＡＮに切り替えられたとき、サービス識別子付与部２５３からサービス監視用ＯＡＭフレームを入力する。障害監視部２１４は、経路が切り替えられても同一のサービス識別子が付与されたサービス監視用ＯＡＭフレームを入力し、当該ＯＡＭフレームの連続性等を確認することでサービス障害を監視する。
【０１９０】
一方、障害監視部２２４は、現用ＶＬＡＮが定常状態のとき、サービス識別子付与部２５１からサービス監視用ＯＡＭフレームを入力し、経路が予備ＶＬＡＮに切り替えられたとき、サービス識別子付与部２５３からサービス監視用ＯＡＭフレームを入力する。障害監視部２２４は、経路が切り替えられても同一のサービス識別子が付与されたサービス監視用ＯＡＭフレームを入力し、当該ＯＡＭフレームの連続性等を確認することでサービス障害を監視する。
【０１９１】
障害監視については、例えば、第３の実施例と同様に、サービス監視を行うことができない障害監視部２１４，２２４を含めて、すべての障害監視部２１４，２２４が障害発生を検知したときに、サービス障害であることが検出される。サービス監視を行うことができない障害監視部２１４，２２４があっても、他方の障害監視部２２４，２１４によりサービス障害が正常であることが検出されると、サービス障害でないとする。例えば、各障害監視部２１４，２２４に接続された上位装置に各障害監視部２１４，２２４がサービス障害の有無を通知することで実現できる。
【０１９２】
また、第３の実施例と同様に、同じラインカード＃１（２１０），＃２（２２０）内の障害監視部２１４，２２４に出力される場合、スイッチモジュール２５０を介さず、障害監視部２１４，２２４に直接出力することもできる。
【０１９３】
図３２はかかる場合の動作例を説明するための図である。ラインカード＃１（２１０）のサービス識別子付与部２５１は、複製したサービス監視用ＯＡＭフレームの一方を障害監視部２１４に直接出力し（Ｓ７０‐１）、スイッチモジュール２５０を介して他方のＯＡＭフレームを障害監視部２２４に出力する（Ｓ７５）。一方、サービス識別子付与部２５３もスイッチモジュール２５０を介して障害監視部２１４に複製したＯＡＭフレームの一方を出力し（Ｓ７６）、他方を障害監視部２２４に直接出力する（Ｓ７１‐１）。
【０１９４】
このように本第６の実施例についても、現用ＶＬＡＮから受信したサービス監視用ＯＡＭフレームも、予備ＶＬＡＮから受信したサービス監視用ＯＡＭフレームも、異なるＶＬＡＮ  ＩＤを持つものの、同一のサービス識別子が付与されて障害監視部２１４に入力される。障害監視部２１４は、通信装置１００との経路が切り替えられても２つのＯＡＭフレームを区別なく処理でき、他の障害部等と連携することなく通信装置１００との間のサービス障害を監視できる。
【０１９５】
また、転送処理部２１３により、通信装置３００との間の経路が現用ＶＬＡＮから予備ＶＬＡＮに切り替えられたとしても、サービス監視用ＯＡＭフレームはサービス識別子付与部２５１等を介して障害監視部２１４に入力されるため、かかる切り替えに影響されない。従って、通信装置２００は、かかる経路の切り替えによる通信装置１００との間のサービス監視に対する誤検出を防止できる。
【０１９６】
更に、本第６の実施例において、２つのラインカード＃１（２１０），＃２（２２０）の各障害監視部２１４，２２４が通信装置１００との間のサービス障害を監視しており、サービス障害を分散して監視できる。よって、ラインカード＃１（２１０），＃２（２２０）の一方に障害が発生した場合でも、他方のラインカード＃２（２２０），＃１（２１０）の障害監視部２２４，２１４がサービス障害を監視できる。
【０１９７】
＜その他の実施例＞
第２の実施例において、現用ＶＬＡＮと接続されたラインカード＃１（２１０）の障害監視部２１４が、サービス監視用の障害監視部として説明した（例えば、図４）。例えば、予備ＶＬＡＮと接続されたラインカード＃２（２２０）の障害監視部２２４がサービス監視用の障害監視部であってもよい。この場合、ラインカード＃１（２１０）がＶＬＡＮ  ＩＤ変換部２２５とＶＬＡＮ  ＩＤ変換テーブル２２６とを備える。ＶＬＡＮ  ＩＤ変換部２２５は、ＶＬＡＮ  ＩＤ変換テーブル２２６に従って、サービス監視用ＯＡＭフレームのＶＬＡＮ  ＩＤを予備ＶＬＡＮと同一のもの（例えば、ＶＬＡＮ  ＩＤ＝２）に変換して、障害監視部２２４に出力する。これにより障害監視部２２４に現用ＶＬＡＮと予備ＶＬＡＮから受信したサービス監視用ＯＡＭフレームが集められてサービス監視を行うことができる。よって、通信装置２００は、他と連携しなくてもサービス障害を監視できる。また、障害監視部２２４は、通信装置３００との経路の切り替えに影響なく当該フレームを入力できるためサービス障害に対する誤検出を防止できる。  
【０１９８】
第５の実施例においても、ラインカード＃１（２１０）の障害監視部２１４がサービス監視用の障害監視部として説明したが（例えば、図２６）、例えば、ラインカード＃２（２２０）の障害監視部２２４がサービス監視用の障害監視部であってもよい。この場合、ラインカード＃１（２１０）のサービス識別テーブル２５２には転送先としてラインカード＃２（２２０）が記憶され、サービス識別子付与部２５１はサービス識別子を付与したサービス監視用ＯＡＭフレームを障害監視部２２４に出力する。障害監視部２２４には、現用ＶＬＡＮと予備ＶＬＡＮから受信したサービス監視用ＯＡＭフレームが集められ、同一のＶＬＡＮ  ＩＤとなって通信装置１００との間のサービスを監視できる。よって、障害監視部２２４は、他と連携しなくてもサービスを監視できる。また、障害監視部２２４は、通信装置３００との間の経路の切り替えに影響なく当該フレームを入力できるため、サービス障害の誤検出を防止できる。  
【０１９９】
第１〜第６の実施例において、通信装置２００と通信装置１００とは、現用ＶＬＡＮと予備ＶＬＡＮの２つの経路で接続される例を説明した。例えば、かかる現用ＶＬＡＮと予備ＶＬＡＮが夫々複数あってもよい。この場合、通信装置２００はラインカード＃１（２１０）により複数の現用ＶＬＡＮと接続でき、ラインカード＃２（２２０）により複数の予備ＶＬＡＮと接続できる。あるいは、通信装置２００は、更に３つ以上のラインカードを備え、ラインカード毎に各現用ＶＬＡＮと各予備ＶＬＡＮとが接続されるようにしてもよい。いずれの場合においても、サービス監視用としていずれかの障害監視部が設定されて、当該障害監視部を有するラインカード以外のラインカードにおいて、ＶＬＡＮ  ＩＤ変換部２２５とＶＬＡＮ  ＩＤ変換テーブル２２６とを各々備えるようにする。そして、ＶＬＡＮ  ＩＤ変換部２２５は第１の実施例等と同様に、入力したサービス監視用ＯＡＭフレームのＶＬＡＮ  ＩＤを現用ＶＬＡＮと同一又は共通ＶＬＡＮ  ＩＤにしてサービス監視用ＯＡＭフレームに転送すればよい。
【０２００】
第１〜第６の実施例において、通信装置１００との経路、及び通信装置３００との経路について、現用ＶＬＡＮから予備ＶＬＡＮに切り替えられる例について説明した。例えば、各経路について予備ＶＬＡＮから現用ＶＬＡＮに切り替えられても、同様に第１〜第６の実施例はそれぞれ実施できる。
【０２０１】
以上まとめると付記のようになる。
【０２０２】
（付記１）
隣接通信装置との間を第１の経路と第２の経路とで接続され、該第１又は第２の経路を介して経路識別子を含むフレームを受信する通信装置において、
前記第１及び第２の経路から受信したフレーム夫々から、障害監視のためのフレームである第１及び第２の監視フレームを抽出する監視フレーム抽出部と、
入力された監視フレームに基づいて、障害を検出する障害監視部と、
前記監視フレーム抽出部で抽出された前記第１または第２の監視フレームに夫々含まれる前記経路識別子が同一となるように変換し、該フレームを前記障害監視部に入力する変換部と、
を備えることを特徴とする通信装置。
【０２０３】
（付記２）
前記監視フレーム抽出部は、前記第１の監視フレームを抽出する第１の監視フレーム抽出部と、前記第２の監視フレームを抽出する第２の監視フレーム抽出部とを備え、
前記変換部は、前記第１の監視フレームに挿入された第１の経路識別子を第３の経路識別子に変換する第１の変換部と、前記第２の監視フレームに挿入された第２の経路識別子を前記第３の経路識別子に変換する第２の変換部とを備え、
前記障害監視部は、前記第１及び第２の変換部から夫々出力された前記第１及び第２の監視フレームに基づいて前記障害を検出することを特徴とする付記１記載の通信装置。
【０２０４】
（付記３）
前記監視フレーム抽出部は、前記第１の監視フレームを抽出する第１の監視フレーム抽出部と、前記第２の監視フレームを抽出する第２の監視フレーム抽出部とを備え、
前記変換部は、前記第２の監視フレームに含まれる第２の経路識別子を前記第１の監視フレームに含まれる第１の経路識別子に変換し、
前記障害監視部は、前記第１の監視フレーム抽出部から出力された前記第１の監視フレームと、前記変換部から出力された前記第２の監視フレームに基づいて前記障害を検出することを特徴とする付記１記載の通信装置。
【０２０５】
（付記４）
前記第１の監視フレーム抽出部と前記第１の変換部、及び前記障害監視部は前記第１の経路が接続されたボード上に備えられていることを特徴とする付記２記載の通信装置。
【０２０６】
（付記５）
前記第１の監視フレーム抽出部と前記障害監視部は前記第１の経路が接続されたボード上に備えられていることを特徴とする付記３記載の通信装置。
【０２０７】
（付記６）
前記障害監視部は第１及び第２の障害監視部を備え、
前記第１の変換部は前記第３の経路識別子が挿入された前記第１の監視フレームを前記第１及び第２の障害監視部に出力し、
前記第２の変換部は前記第３の経路識別子が挿入された前記第２の監視フレームを前記第１及び第２の障害監視部に出力し、
前記第１及び第２の障害監視部は、前記第３の識別子が夫々挿入された前記第１及び第２の監視フレームに基づいて前記第１及び第２の経路に対する障害を夫々検出することを特徴とする付記２記載の通信装置。
【０２０８】
（付記７）
前記障害監視部は第１及び第２の障害監視部を備え、
前記第１の監視フレーム抽出部は前記第１の監視フレームを前記第１及び第２の障害監視部に出力し、
前記変換部は前記第１の経路識別子が挿入された前記第２の監視フレームを前記第１及び第２の障害監視部に出力し、
前記第１及び第２の障害監視部は、前記第１の経路識別子が夫々挿入された前記第１及び第２の監視フレームに基づいて前記第１及び第２の経路に対する障害を夫々検出することを特徴とする付記３記載の通信装置。
【０２０９】
（付記８）
前記第１の監視フレーム抽出部と前記第１の変換部、及び前記第１の障害監視部は前記第１の経路が接続されたボード上に備えられていることを特徴とする付記６記載の通信装置。
【０２１０】
（付記９）
前記第１の監視フレーム抽出部と前記第１の障害監視部は前記第１の経路が接続されたボード上に備えられていることを特徴とする付記７記載の通信装置。
【０２１１】
（付記１０）
前記障害監視部は、前記監視フレーム抽出部と前記変換部とを備えるボードとは異なるボードに備えられていることを特徴とする付記１記載の通信装置。
【０２１２】
（付記１１）
前記障害監視部は、第３及び第４の監視フレームを生成し、前記第３及び第４の監視フレームを前記第１及び第２の経路に夫々送信することを特徴とする付記１記載の通信装置。
【０２１３】
（付記１２）
更に、第１及び第２の送信切替部を備え、
前記障害監視部は、第１及び第２の障害監視部を備え、
前記第１の障害監視部は、第３及び第４の監視フレームを生成し、当該第３及び第４の監視フレームを前記第１及び第２の送信切替部に夫々出力し、
前記第２の障害監視部は、前記第３又は第４の監視フレームを生成し、当該第３及び第４の監視フレームを前記第１及び第２の送信切替部に夫々出力し、
前記第１の送信切替部は、前記第１の障害監視部から出力された前記第３の監視フレームと前記第２の障害監視部から出力された前記第３の監視フレームとを入力し、いずれか一方を前記第１の経路に送信し、
前記第２の送信切替部は、前記第１の障害監視部から出力された前記第３の監視フレームと前記第２の障害監視部から出力された前記第４の監視フレームとを入力し、いずれか一方を前記第２の経路に送信することを特徴とする付記１記載の通信装置。
【０２１４】
（付記１３）
隣接装置との間を第１の経路と第２の経路とで接続され、該第１又は第２の経路を介して経路識別子を含むフレームを受信する通信装置において、
前記第１及び第２の経路から受信したフレーム夫々から、障害監視のためのフレームである第１及び第２の監視フレームを抽出する監視フレーム抽出部と、
入力された監視フレームに基づいて、障害を監視する障害監視部と、
前記監視フレーム抽出部で抽出された前記第１及び第２の監視フレーム夫々に対してサービス識別子を付与し、該フレームを前記障害監視部に入力するサービス識別子付与部と、
を備えることを特徴とする通信装置。
【０２１５】
（付記１４）
前記監視フレーム抽出部は、前記第１の経路から受信した前記第１の監視フレームを抽出する第１の監視フレーム抽出部と、前記第２の経路から受信した前記第２の監視フレームを抽出する第２の監視フレーム抽出部とを備え、
前記サービス識別子付与部は、前記第１の監視フレームに対して前記サービス識別子を付与する第１のサービス識別子付与部と、前記第２の監視フレームに対して前記サービス識別子を付与する第２のサービス識別子付与部とを備え、
前記障害監視部は前記第１及び第２のサービス識別子付与部から出力された前記第１及び第２の監視フレームに基づいて前記障害を検出することを特徴とする付記１３記載の通信装置。
【０２１６】
（付記１５）
前記第１の監視フレーム抽出部と前記第１のサービス識別子付与部、及び障害監視部は前記第１の経路が接続されたボードに備えられていることを特徴とする付記１４記載の通信装置。
【０２１７】
（付記１６）
前記障害監視部は第１及び第２の障害監視部を備え、
前記第１のサービス識別子付与部は前記サービス識別子が付与された前記第１の監視フレームを前記第１及び第２の障害監視部に出力し、
前記第２のサービス識別子付与部は前記サービス識別子が付与された前記第２の監視フレームを前記第１及び第２の障害監視部に出力し、
前記第１及び第２の障害監視部は、前記サービス識別子が夫々挿入された前記第１及び第２の監視フレームに基づいて前記第１及び第２の経路に対する前記障害を夫々検出することを特徴とする付記１４記載の通信装置。
【０２１８】
（付記１７）
前記障害監視部は、前記監視フレーム抽出部と前記サービス識別子付与部を備えるボートとは異なるボードに備えられていることを特徴とする付記１３記載の通信装置。
【０２１９】
（付記１８）
隣接装置との間を第１の経路と第２の経路とで接続され、該第１又は第２の経路を介して経路識別子を含むフレームを受信する通信装置における通信方法であって、
前記第１及び第２の経路から受信したフレーム夫々から、障害監視のためのフレームである第１及び第２の監視フレームを監視フレーム抽出部により抽出し、
前記監視フレーム抽出部で抽出された前記第１または第２の監視フレームに夫々含まれる前記経路識別子が同一となるように変換部により変換し、該フレームを前記変換部により障害監視部に入力し、
入力された該フレームに基づいて、前記障害監視部により障害を検出する、
ことを特徴とする通信方法。
【０２２０】
（付記１９）
隣接装置との間を第１の経路と第２の経路とで接続され、該第１又は第２の経路を介して経路識別子を含むフレームを受信する通信装置における通信方法であって、
前記第１及び第２の経路から受信したフレーム夫々から、障害監視のためのフレームである第１及び第２の監視フレームを監視フレーム抽出部により抽出し、
前記監視フレーム抽出部で抽出された前記第１及び第２の監視フレーム夫々に対してサービス識別子をサービス識別子付与部により付与し、該フレームを前記サービス識別子付与部により障害監視部に入力し、
入力された該フレームに基づいて、前記障害監視部により障害を監視する、
ことを特徴とする通信方法。
【符号の説明】
【０２２１】
１：通信システム                      １００，２００，３００：通信装置
２０１，２０２：ラインカード＃１，＃３
２１０〜２４０：ラインカード＃１〜＃４
２１２，２２２：ＯＡＭ抽出部          ２１３，２２３：転送処理部
２１４，２２４，２５６：障害監視部    
２１５，２２５：ＶＬＡＮ  ＩＤ変換部  ２１６，２２６：ＶＬＡＮ  ＩＤ変換テーブル
２１７，２２７：送信切替部            ２５０：スイッチモジュール
２５１，２５３：サービス識別子付与部  ２５２，２５４：サービス識別テーブル
２５５：障害監視カード                ２１２１：障害監視部位置テーブル
２１３１：ＭＡＣ転送テーブル          ２１４１，２２４１：ＯＡＭ送信制御テーブル
【図１】
0005531831.tif 000002
【図２】
0005531831.tif 000003
【図３】
0005531831.tif 000004
【図４】
0005531831.tif 000005
【図５】
0005531831.tif 000006
【図６】
0005531831.tif 000007
【図７】
0005531831.tif 000008
【図８】
0005531831.tif 000009
【図９】
0005531831.tif 000010
【図１０】
0005531831.tif 000011
【図１１】
0005531831.tif 000012
【図１２】
0005531831.tif 000013
【図１３】
0005531831.tif 000014
【図１４】
0005531831.tif 000015
【図１５】
0005531831.tif 000016
【図１６】
0005531831.tif 000017
【図１７】
0005531831.tif 000018
【図１８】
0005531831.tif 000019
【図１９】
0005531831.tif 000020
【図２０】
0005531831.tif 000021
【図２１】
0005531831.tif 000022
【図２２】
0005531831.tif 000023
【図２３】
0005531831.tif 000024
【図２４】
0005531831.tif 000025
【図２５】
0005531831.tif 000026
【図２６】
0005531831.tif 000027
【図２７】
0005531831.tif 000028
【図２８】
0005531831.tif 000029
【図２９】
0005531831.tif 000030
【図３０】
0005531831.tif 000031
【図３１】
0005531831.tif 000032
【図３２】
0005531831.tif 000033
【図３３】
0005531831.tif 000034
【図３４】
0005531831.tif 000035
【図３５】
0005531831.tif 000036
【図３６】
0005531831.tif 000037
【図３７】
0005531831.tif 000038
【図３８】
0005531831.tif 000039
【図３９】
0005531831.tif 000040